(57)【特許請求の範囲】
【請求項１】
ハンドオーバー方法であって、
ターゲットプライマリ基地局によって、ソースプライマリ基地局からハンドオーバー要求を受信するステップであって、前記ハンドオーバー要求は、ソースセカンダリ基地局によって割り振られたユーザ機器（UE）識別子を含む、ステップと、
前記ターゲットプライマリ基地局によって、前記ソースセカンダリ基地局に前記UEに対してセカンダリ基地局としてのままであるように指示する第1の指示を前記ソースセカンダリ基地局に送信するステップであって、前記第1の指示は、前記ソースセカンダリ基地局によって割り振られた前記UE識別子を含む、ステップと、
前記ターゲットプライマリ基地局によって、ハンドオーバー確認応答を前記ソースプライマリ基地局に送信するステップと、
前記ターゲットプライマリ基地局によって、前記ソースセカンダリ基地局と共同で、UEに対してサービスを提供するステップと
を備えるハンドオーバー方法。
【請求項２】
前記第1の指示は、
前記UEにサービスすることを保持するように前記ソースセカンダリ基地局に指示する
ために更に使用される、請求項1に記載の方法。
【請求項３】
前記第1の指示は、ターゲット基地局によって割り振られたUE識別子を更に含む、請求項1または2に記載の方法。
【請求項４】
前記ターゲットプライマリ基地局によって、前記第1の指示を前記ソースセカンダリ基地局に送信する前記ステップは、
前記ターゲットプライマリ基地局によって、修正要求を前記ソースセカンダリ基地局に送信するステップであって、前記修正要求は前記第1の指示を含む、ステップ
を含む、請求項1から3のいずれか一項に記載の方法。
【請求項５】
前記ターゲットプライマリ基地局によって、前記ソースセカンダリ基地局または前記ソースプライマリ基地局から伝送路情報を受信するステップと、
前記ターゲットプライマリ基地局によって、前記伝送路情報に従って、前記ソースセカンダリ基地局とサービングゲートウェイとの間の伝送路を切り替えるステップと
を更に含む請求項1から4のいずれか一項に記載の方法。
【請求項６】
ソースプライマリ基地局からハンドオーバー要求を受信するように構成された受信機であって、前記ハンドオーバー要求は、ソースセカンダリ基地局によって割り振られたユーザ機器（UE）識別子を含む、受信機と、
送信機であって、
前記送信機は、前記ソースセカンダリ基地局にUEに対してセカンダリ基地局としてのままであるように指示する第1の指示を前記ソースセカンダリ基地局に送信するように構成され、前記第1の指示は、前記ソースセカンダリ基地局によって割り振られた前記UE識別子を含み、
前記送信機は、ハンドオーバー確認応答を前記ソースプライマリ基地局に送信するように構成される
送信機と、
前記ソースセカンダリ基地局と共同で、UEにサービスを提供するように構成されたプロセッサと
備える装置。
【請求項７】
前記第1の指示は、
前記UEにサービスすることを保持するように前記ソースセカンダリ基地局に指示する
ために更に使用される、請求項6に記載の装置。
【請求項８】
前記第1の指示は、ターゲット基地局によって割り振られたUE識別子を更に含む、請求項6または7に記載の装置。
【請求項９】
前記第1の指示を前記ソースセカンダリ基地局に送信することは、
修正要求を前記ソースセカンダリ基地局に送信することを含み、前記修正要求は前記第1の指示を含む、
請求項6から8のいずれか一項に記載の装置。
【請求項１０】
前記受信機は、
前記ソースセカンダリ基地局または前記ソースプライマリ基地局から伝送路情報を受信する
ように更に構成され、
前記プロセッサは、前記伝送路情報に従って、前記ソースセカンダリ基地局とサービングゲートウェイとの間の伝送路を切り替えるように更に構成される、
請求項6から9のいずれか一項に記載の装置。
【請求項１１】
プロセッサと、メモリと、前記メモリ内に記憶された命令とを備える装置であって、前記命令は、前記プロセッサ上で実行されることが可能であり、前記命令が実行されると、前記装置は、請求項1から5のいずれか一項に記載の方法を実行することを可能にされる、装置。
【請求項１２】
請求項11に記載の装置を備える基地局。
【請求項１３】
命令を備えるコンピュータ読取可能な記憶媒体であって、前記命令がコンピュータ上で実行されると、請求項1から5のいずれか一項に記載の方法が実行される、記憶媒体。
【請求項１４】
コンピュータプログラムであって、前記コンピュータプログラムがコンピュータ上で実行されると、請求項1から5のいずれか一項に記載の方法が実行される、コンピュータプログラム。
【発明の詳細な説明】
【技術分野】
【０００１】
本発明は、通信分野に関し、特に、ハンドオーバー装置および方法に関する。
【背景技術】
【０００２】
デュアルコネクティビティ(Dual Connectivity)技術は、基地局間キャリアアグリゲーション技術またはマルチストリームアグリゲーション技術とも称され、デュアルコネクティビティ技術は、ユーザ機器が少なくとも2つの基地局からデータを受信する、すなわち、プライマリ基地局(primary base stationまたはmaster base station)およびセカンダリ基地局(secondary base station)が両方とも、ユーザ機器のための通信サービスを提供することを意味する。典型的なシナリオにおいて、ユーザ機器は、マクロ基地局およびスモールセルの両方からデータを受信し、マクロ基地局は、プライマリ基地局として、ハンドオーバー回数を低減する広い通信範囲を提供し、スモールセルは、セカンダリ基地局として、データを共有し、ホットスポットエリアの容量を改善する。
【０００３】
いくつかのシナリオにおいて、たとえば、ユーザ機器が、ユーザ機器にサービスを提供するプライマリ基地局のサービスエリアから出る場合、プライマリ基地局から別のプライマリ基地局へのハンドオーバーが実行される必要がある。従来技術では、セカンダリ基地局は、プライマリ基地局から別のプライマリ基地局へのハンドオーバーのプロセスにおいて解放され、その結果、サービスは、デュアルコネクティビティ方式でユーザ機器にさらに提供され得ず、ユーザエクスペリエンスが影響を受ける。
【発明の概要】
【課題を解決するための手段】
【０００４】
本発明の実施形態は、プライマリ基地局から別のプライマリ基地局へのユーザ機器のハンドオーバーのプロセスにおいてソースセカンダリ基地局が変化しないように実装し、ハンドオーバープロセスにおける遅延を低減し、ハンドオーバープロセスにおいてユーザ機器とソースセカンダリ基地局との間のデータ通信の中断問題を回避する、ハンドオーバー装置および方法を提供する。
【０００５】
第1の態様によれば、本発明の一実施形態は、ハンドオーバー方法を提供し、この方法は、
ターゲットプライマリ基地局によって、ソースプライマリ基地局によって送信されたハンドオーバー要求を受信するステップであって、ハンドオーバー要求は、ソースセカンダリ基地局の第1の構成情報を含み、ソースプライマリ基地局およびソースセカンダリ基地局は、ユーザ機器に対してサービスを共同で提供する、ステップと、
ターゲットプライマリ基地局によって、第1の指示をソースセカンダリ基地局に送信するステップであって、第1の指示は、ソースセカンダリ基地局に無変化のままであるように指示するために使用される、ステップと、
ターゲットプライマリ基地局によって、ハンドオーバー確認応答をソースプライマリ基地局に送信するステップであって、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、ステップとを含む。
【０００６】
第1の態様に関して、第1の実装方式において、第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【０００７】
第1の態様または第1の態様の第1の実装方式に関して、第1の態様の第2の実装方式において、この方法は、
ターゲットプライマリ基地局によって、ソースセカンダリ基地局に、ソースセカンダリ基地局によって割り振られたユーザ機器識別情報を送信するステップであって、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される、ステップをさらに含む。
【０００８】
第1の態様、または第1の態様の第1から第2の実装方式、のいずれか1つに関して、第1の態様の第3の実装方式において、この方法は、
ターゲットプライマリ基地局によって、ソースセカンダリ基地局またはソースプライマリ基地局によって送信された伝送路情報を受信するステップであって、伝送路情報は、ターゲットプライマリ基地局によって、ソースセカンダリ基地局とサービングゲートウェイとの間の伝送路の切り替えを完了するために使用される、ステップをさらに含む。
【０００９】
第1の態様の第3の実装方式に関して、第1の態様の第4の実装方式において、この方法は、
ターゲットプライマリ基地局によって、第2の指示をソースプライマリ基地局に送信するステップであって、第2の指示は、ソースセカンダリ基地局をユーザ機器のセカンダリ基地局として保持するようにソースプライマリ基地局に指示するために使用される、ステップをさらに含む。
【００１０】
第1の態様、または第1の態様の第1から第4の実装方式、のいずれか1つに関して、第1の態様の第5の実装方式において、この方法は、
ターゲットプライマリ基地局によって、ソースプライマリ基地局によって送信された第3の指示を受信するステップであって、第3の指示は、ソースセカンダリ基地局をユーザ機器のセカンダリ基地局として保持するようにターゲットプライマリ基地局に指示するために使用される、ステップをさらに含む。
【００１１】
第1の態様、または第1の態様の第1から第5の実装方式の、いずれか1つに関して、第1の態様の第6の実装方式において、
第1の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
第2の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含む。
【００１２】
第1の態様によれば、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【００１３】
第2の態様によれば、本発明の一実施形態は、ハンドオーバー方法を提供し、この方法は
ソースプライマリ基地局によって、ハンドオーバー要求をターゲットプライマリ基地局に送信するステップであって、ハンドオーバー要求は、ソースセカンダリ基地局の第1の構成情報を含み、ソースプライマリ基地局およびソースセカンダリ基地局は、ユーザ機器に対してサービスを共同で提供する、ステップと、
ソースプライマリ基地局によって、ターゲットプライマリ基地局によって送信されたハンドオーバー確認応答を受信するステップであって、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、ステップとを含み、
ソースセカンダリ基地局の第2の構成情報は、ターゲットプライマリ基地局によってソースセカンダリ基地局に送信された第1の指示に基づいており、第1の指示は、ソースセカンダリ基地局に無変化のままであるように指示するために使用される。
【００１４】
第2の態様に関して、第1の実装方式において、
第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【００１５】
第2の態様、または第2の態様の第1の実装方式に関して、第2の態様の第2の実装方式において、この方法は、
ソースプライマリ基地局によってターゲットプライマリ基地局に、ソースセカンダリ基地局によって割り振られたユーザ機器識別情報を送信し、それにより、ターゲットプライマリ基地局は、ソースセカンダリ基地局に、ソースセカンダリ基地局によって割り振られたユーザ機器識別情報を送信するステップであって、ソースセカンダリ基地局によって割り振られたユーザ機器識別情報は、ユーザ機器を識別するためにソースセカンダリ基地局によって使用される、ステップをさらに含む。
【００１６】
第2の態様、または第2の態様の第1から第2の実装方式、のいずれか1つに関して、第2の態様の第3の実装方式において、この方法は、
ソースプライマリ基地局によって、伝送路情報をターゲットプライマリ基地局に送信するステップであって、伝送路情報は、ターゲットプライマリ基地局によって、ソースセカンダリ基地局とサービングゲートウェイとの間の伝送路の切り替えを完了するために使用される、ステップをさらに含む。
【００１７】
第2の態様、または第2の態様の第1から第3の実装方式、のいずれか1つに関して、第2の態様の第4の実装方式において、この方法は、
ソースプライマリ基地局によって、ターゲットプライマリ基地局によって送信された第2の指示を受信するステップであって、第2の指示は、ソースセカンダリ基地局をユーザ機器のセカンダリ基地局として保持するようにソースプライマリ基地局に指示するために使用される、ステップと、
ソースプライマリ基地局によって、第2の指示に従って、ソースセカンダリ基地局をユーザ機器のセカンダリ基地局として保持するステップとをさらに含む。
【００１８】
第2の態様または第2の態様の第1の実装方式に関して、第2の態様の第5の実装方式において、この方法は、
ソースプライマリ基地局によって、ハンドオーバー確認応答に従って、ソースセカンダリ基地局がユーザ機器のベアラまたはユーザ機器のコンテキストを解放することをトリガーするステップをさらに含む。
【００１９】
第2の態様、または第2の態様の第1から第5の実装方式、のいずれか1つに関して、第2の態様の第6の実装方式において、この方法は、
ソースプライマリ基地局によって、第3の指示をターゲットプライマリ基地局に送信するステップであって、第3の指示は、ソースセカンダリ基地局をユーザ機器の用途を満たすセカンダリ基地局として保持するようにターゲットプライマリ基地局に指示するために使用される、ステップをさらに含む。
【００２０】
第2の態様、または第2の態様の第1から第6の実装方式、のいずれか1つに関して、第2の態様の第7の実装方式において、
第1の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
第2の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含む。
【００２１】
第2の態様によれば、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【００２２】
第3の態様によれば、本発明の一実施形態は、ハンドオーバー方法を提供し、この方法は
ソースセカンダリ基地局によって、ターゲットプライマリ基地局によって送信された第1の指示を受信するステップであって、第1の指示は、ソースセカンダリ基地局に無変化のままであるように指示するために使用される、ステップを含み、
第1の指示は、ソースプライマリ基地局によって送信され、ターゲットプライマリ基地局によって受信されるハンドオーバー要求に基づいており、ハンドオーバー要求は、ソースセカンダリ基地局の第1の構成情報を含み、ソースプライマリ基地局およびソースセカンダリ基地局は、ユーザ機器に対してサービスを共同で提供し、
ハンドオーバー要求は、ハンドオーバー確認応答をソースプライマリ基地局に送信するためにターゲットプライマリ基地局によって使用され、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される。
【００２３】
第3の態様に関して、第1の実装方式において、
第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【００２４】
第3の態様または第3の態様の第1の実装方式に関して、第3の態様の第2の実装方式において、この方法は、
ソースセカンダリ基地局によって、ソースセカンダリ基地局によって割り振られ、ターゲットプライマリ基地局によって送信されたユーザ機器識別情報を受信するステップであって、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される、ステップをさらに含む。
【００２５】
第3の態様、または第3の態様の第1から第2の実装方式、のいずれか1つに関して、第3の態様の第3の実装方式において、この方法は、
ソースセカンダリ基地局によって、伝送路情報をターゲットプライマリ基地局に送信するステップであって、伝送路情報は、ターゲットプライマリ基地局によって、ソースセカンダリ基地局とサービングゲートウェイとの間の伝送路の切り替えを完了するために使用される、ステップをさらに含む。
【００２６】
第3の態様、または第3の態様の第1から第3の実装方式、のいずれか1つに関して、第3の態様の第4の実装方式において、
第1の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
第2の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含む。
【００２７】
第3の態様によれば、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【００２８】
第4の態様によれば、本発明の一実施形態は、ハンドオーバー方法を提供し、この方法は
ターゲットプライマリ基地局によって、ソースプライマリ基地局によって送信されたハンドオーバー要求を受信するステップであって、ハンドオーバー要求は、ソースセカンダリ基地局の構成情報を含み、ソースプライマリ基地局およびソースセカンダリ基地局は、ユーザ機器に対してサービスを共同で提供する、ステップと、
ターゲットプライマリ基地局によって、第1の指示をターゲットセカンダリ基地局に送信するステップであって、第1の指示は、ユーザ機器のセカンダリ基地局としての機能を果たすようにターゲットセカンダリ基地局に指示するために使用される、ステップと、
ターゲットプライマリ基地局によって、ハンドオーバー確認応答をソースプライマリ基地局に送信するステップであって、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、ステップとを含む。
【００２９】
第4の態様に関して、第1の実装方式において、この方法は、
ターゲットプライマリ基地局によって、ターゲットセカンダリ基地局によって送信された第1の伝送路情報を受信するステップであって、第1の伝送路情報は、ターゲットセカンダリ基地局によって割り振られ、ターゲットセカンダリ基地局とサービングゲートウェイとの間のデータ伝送に使用される、ステップと、
ターゲットプライマリ基地局によって、第2の伝送路情報をターゲットセカンダリ基地局に送信するステップであって、第2の伝送路情報は、サービングゲートウェイによって割り振られ、ターゲットセカンダリ基地局とサービングゲートウェイとの間のデータ伝送に使用される、ステップとをさらに含む。
【００３０】
第4の態様、または第4の態様の第1から第2の実装方式、のいずれか1つに関して、第4の態様の第3の実装方式において、この方法は、
ターゲットプライマリ基地局によって、第2の指示をソースプライマリ基地局に送信するステップであって、第2の指示は、ターゲットプライマリ基地局がターゲットセカンダリ基地局をユーザ機器のセカンダリ基地局として追加することを指示するために使用される、ステップをさらに含む。
【００３１】
第4の態様、または第4の態様の第1から第3の実装方式、のいずれか1つに関して、第4の態様の第4の実装方式において、
ソースセカンダリ基地局の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
ターゲットセカンダリ基地局の構成情報は、
ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含む。
【００３２】
第4の態様によれば、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【００３３】
第5の態様によれば、本発明の一実施形態は、ハンドオーバー方法を提供し、この方法は
ソースプライマリ基地局によって、ハンドオーバー要求をターゲットプライマリ基地局に送信するステップであって、ハンドオーバー要求は、ソースセカンダリ基地局の構成情報を含み、ソースプライマリ基地局およびソースセカンダリ基地局は、ユーザ機器に対してサービスを共同で提供する、ステップと、
ソースプライマリ基地局によって、ターゲットプライマリ基地局によって送信されたハンドオーバー確認応答を受信するステップであって、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、ステップとを含み、
ハンドオーバー確認応答は、ターゲットプライマリ基地局によってターゲットセカンダリ基地局に送信された第1の指示に基づいており、第1の指示は、ユーザ機器のセカンダリ基地局としての機能を果たすようにターゲットセカンダリ基地局に指示するために使用される。
【００３４】
第5の態様に関して、第1の実装方式において、この方法は、
ソースプライマリ基地局によって、ターゲットプライマリ基地局によって送信された第2の指示を受信するステップであって、第2の指示は、ターゲットプライマリ基地局がターゲットセカンダリ基地局をユーザ機器のセカンダリ基地局として追加することを指示するために使用される、ステップをさらに含む。
【００３５】
第5の態様の第1の実装方式に関して、第5の態様の第2の実装方式において、この方法は、
ソースプライマリ基地局によって、第2の指示に従ってユーザ機器のベアラまたはユーザ機器のコンテキストを解放するステップをさらに含む。
【００３６】
第5の態様、または第5の態様の第1から第2の実装方式、のいずれか1つに関して、第5の態様の第3の実装方式において、
ソースセカンダリ基地局の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
ターゲットセカンダリ基地局の構成情報は、
ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含む。
【００３７】
第5の態様によれば、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【００３８】
第6の態様によれば、本発明の一実施形態は、ハンドオーバー方法を提供し、この方法は
ターゲットセカンダリ基地局によって、ターゲットプライマリ基地局によって送信された第1の指示を受信するステップであって、第1の指示は、ユーザ機器のセカンダリ基地局としての機能を果たすようにターゲットセカンダリ基地局に指示するために使用される、ステップを含み、
第1の指示は、ソースプライマリ基地局によって送信され、ターゲットプライマリ基地局によって受信されるハンドオーバー要求に基づいており、ハンドオーバー要求は、ソースセカンダリ基地局の構成情報を含み、ソースプライマリ基地局およびソースセカンダリ基地局は、ユーザ機器に対して一緒にサービスを提供し、
ハンドオーバー要求は、ハンドオーバー確認応答をソースプライマリ基地局に送信するためにターゲットプライマリ基地局によって使用され、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される。
【００３９】
第6の態様に関して、第1の実装方式において、この方法は、
ターゲットセカンダリ基地局によって、第1の伝送路情報をターゲットプライマリ基地局に送信するステップであって、第1の伝送路情報は、ターゲットセカンダリ基地局によって割り振られ、ターゲットセカンダリ基地局とサービングゲートウェイとの間のデータ伝送に使用される、ステップと、
ターゲットセカンダリ基地局によって、ターゲットプライマリ基地局によって送信された第2の伝送路情報を受信するステップであって、第2の伝送路情報は、サービングゲートウェイによって割り振られ、ターゲットセカンダリ基地局とサービングゲートウェイとの間のデータ伝送に使用される、ステップとをさらに含む。
【００４０】
第6の態様または第6の態様の第1の実装方式に関して、第6の態様の第2の実装方式において、
第1の指示は、ターゲットプライマリ基地局によって、第2の指示をソースセカンダリ基地局に送信するために使用され、第2の指示は、ターゲットプライマリ基地局がターゲットセカンダリ基地局をユーザ機器のセカンダリ基地局として追加することを指示するために使用される。
【００４１】
第6の態様、または第6の態様の第1から第2の実装方式、のいずれか1つに関して、第6の態様の第3の実装方式において、
ソースセカンダリ基地局の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
ターゲットセカンダリ基地局の構成情報は、
ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含む。
【００４２】
第6の態様によれば、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【００４３】
第7の態様によれば、本発明の一実施形態は、ハンドオーバー装置を実現し、ターゲットプライマリ基地局は、この装置を使用して基地局から別の基地局へのハンドオーバーを実行する。この装置は、
ソースプライマリ基地局によって送信されたハンドオーバー要求を受信するように構成されているトランシーバであって、ハンドオーバー要求は、ソースセカンダリ基地局の第1の構成情報を含み、ソースプライマリ基地局およびソースセカンダリ基地局は、ユーザ機器に対してサービスを共同で提供する、トランシーバと、
トランシーバが第1の指示をソースセカンダリ基地局に送信することをトリガーするように構成され、第1の指示は、ソースセカンダリ基地局に無変化のままであるように指示するために使用され、さらにトランシーバがハンドオーバー確認応答をソースプライマリ基地局に送信することをトリガーするように構成され、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、プロセッサとを備え、
トランシーバは、第1の指示をソースセカンダリ基地局に送信し、ハンドオーバー確認応答をソースプライマリ基地局に送信するようにさらに構成されている。
【００４４】
第7の態様に関して、第1の実装方式において、
第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【００４５】
第7の態様、または第7の態様の第1の実装方式に関して、第7の態様の第2の実装方式において、トランシーバは、
ソースセカンダリ基地局によって割り振られ、ソースプライマリ基地局によって送信されたユーザ機器識別情報を受信し、
ソースセカンダリ基地局に、ソースセカンダリ基地局によって割り振られたユーザ機器識別情報を送信するようにさらに構成され、ソースセカンダリ基地局によって割り振られたユーザ機器識別情報は、ユーザ機器を識別するためにソースセカンダリ基地局によって使用される。
【００４６】
第7の態様、または第7の態様の第1から第2の実装方式、のいずれか1つに関して、第7の態様の第3の実装方式において、トランシーバは、
ソースセカンダリ基地局またはソースプライマリ基地局によって送信された伝送路情報を受信するようにさらに構成され、伝送路情報は、ターゲットプライマリ基地局によって、ソースセカンダリ基地局とサービングゲートウェイとの間の伝送路の切り替えを完了するために使用される。
【００４７】
第7の態様の第3の実装方式に関して、第7の態様の第4の実装方式において、
プロセッサは、トランシーバが第2の指示をソースプライマリ基地局に送信することをトリガーするようにさらに構成され、第2の指示は、ソースセカンダリ基地局をユーザ機器のセカンダリ基地局として保持するようにソースプライマリ基地局に指示するために使用され、
トランシーバは、第2の指示をソースプライマリ基地局に送信するようにさらに構成される。
【００４８】
第7の態様、または第7の態様の第1から第4の実装方式、のいずれか1つに関して、第7の態様の第5の実装方式において、トランシーバは、
ソースプライマリ基地局によって送信された第3の指示を受信するようにさらに構成され、第3の指示は、ソースセカンダリ基地局をユーザ機器のセカンダリ基地局として保持するようにターゲットプライマリ基地局に指示するために使用される。
【００４９】
第7の態様、または第7の態様の第1から第5の実装方式、のいずれか1つに関して、第7の態様の第6の実装方式において、
第1の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
第2の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含む。
【００５０】
第7の態様によれば、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【００５１】
第8の態様によれば、本発明の一実施形態は、ハンドオーバー装置を実現し、ソースプライマリ基地局は、この装置を使用して基地局から別の基地局へのハンドオーバーを実行する。この装置は、
トランシーバがハンドオーバー要求をターゲットプライマリ基地局に送信することをトリガーするように構成されているプロセッサであって、ハンドオーバー要求は、ソースセカンダリ基地局の第1の構成情報を含み、ソースプライマリ基地局およびソースセカンダリ基地局は、ユーザ機器に対してサービスを共同で提供する、プロセッサと、
ハンドオーバー要求をターゲットプライマリ基地局に送信し、ターゲットプライマリ基地局によって送信されたハンドオーバー確認応答を受信するようにさらに構成されている、トランシーバであって、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、トランシーバとを備え、
ソースセカンダリ基地局の第2の構成情報は、ターゲットプライマリ基地局によってソースセカンダリ基地局に送信された第1の指示に基づいており、第1の指示は、ソースセカンダリ基地局に無変化のままであるように指示するために使用される。
【００５２】
第8の態様に関して、第1の実装方式において、
第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【００５３】
第8の態様、または第8の態様の第1の実装方式に関して、第8の態様の第2の実装方式において、
プロセッサは、トランシーバがターゲットプライマリ基地局に、ソースセカンダリ基地局によって割り振られたユーザ識別情報を送信し、それにより、ターゲットプライマリ基地局は、ソースセカンダリ基地局に、ソースセカンダリ基地局によって割り振られたユーザ機器識別情報を送信することをトリガーするようにさらに構成され、ソースセカンダリ基地局によって割り振られたユーザ機器識別情報は、ユーザ機器を識別するためにソースセカンダリ基地局によって使用され、
トランシーバは、ターゲットプライマリ基地局に、ソースセカンダリ基地局によって割り振られたユーザ識別情報を送信するようにさらに構成される。
【００５４】
第8の態様、または第8の態様の第1から第2の実装方式、のいずれか1つに関して、第8の態様の第3の実装方式において、
プロセッサは、トランシーバが伝送路情報をターゲットプライマリ基地局に送信することをトリガーするようにさらに構成され、伝送路情報は、ターゲットプライマリ基地局によって、ソースセカンダリ基地局とサービングゲートウェイとの間の伝送路の切り替えを完了するために使用され、
トランシーバは、伝送路情報をターゲットプライマリ基地局に送信するようにさらに構成される。
【００５５】
第8の態様、または第8の態様の第1から第3の実装方式、のいずれか1つに関して、第8の態様の第4の実装方式において、
トランシーバは、ターゲットプライマリ基地局によって送信された第2の指示を受信するようにさらに構成され、第2の指示は、ソースセカンダリ基地局をユーザ機器のセカンダリ基地局として保持するようにソースプライマリ基地局に指示するために使用され、
プロセッサは、トランシーバによって受信された第2の指示に従って、ソースセカンダリ基地局をユーザ機器のセカンダリ基地局として保持するようにさらに構成される。
【００５６】
第8の態様、または第8の態様の第1の実装方式に関して、第8の態様の第5の実装方式において、
ソースセカンダリ基地局は、トランシーバによって受信されたハンドオーバー確認応答に従って、ユーザ機器のベアラまたはユーザ機器のコンテキストを解放するようにトリガーされる。
【００５７】
第8の態様、または第8の態様の第1から第5の実装方式、のいずれか1つに関して、第8の態様の第6の実装方式において、
プロセッサは、トランシーバが第3の指示をターゲットプライマリ基地局に送信することをトリガーするようにさらに構成され、第3の指示は、ソースセカンダリ基地局をユーザ機器のセカンダリ基地局として保持するようにターゲットプライマリ基地局に指示するために使用され、
トランシーバは、第3の指示をターゲットプライマリ基地局に送信するようにさらに構成される。
【００５８】
第8の態様、または第8の態様の第1から第6の実装方式、のいずれか1つに関して、第8の態様の第7の実装方式において、
第1の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
第2の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含む。
【００５９】
第8の態様によれば、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【００６０】
第9の態様によれば、本発明の一実施形態は、ハンドオーバー装置を実現し、ソースセカンダリ基地局は、この装置を使用して基地局から別の基地局へのハンドオーバーを実行する。この装置は、
ターゲットプライマリ基地局によって送信された第1の指示を受信するように構成されているトランシーバであって、第1の指示は、ソースセカンダリ基地局に無変化のままであるように指示するために使用される、トランシーバを備え、
第1の指示は、ソースプライマリ基地局によって送信され、ターゲットプライマリ基地局によって受信されるハンドオーバー要求に基づいており、ハンドオーバー要求は、ソースセカンダリ基地局の第1の構成情報を含み、ソースプライマリ基地局およびソースセカンダリ基地局は、ユーザ機器に対してサービスを共同で提供し、
ハンドオーバー要求は、ハンドオーバー確認応答をソースプライマリ基地局に送信するためにターゲットプライマリ基地局によって使用され、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される。
【００６１】
第9の態様に関して、第1の実装方式において、
第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【００６２】
第9の態様、または第9の態様の第1の実装方式に関して、第9の態様の第2の実装方式において、トランシーバは、
ソースセカンダリ基地局によって割り振られ、ターゲットプライマリ基地局によって送信されたユーザ機器識別情報を受信するようにさらに構成され、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される。
【００６３】
第9の態様、または第9の態様の第1から第2の実装方式、のいずれか1つに関して、第9の態様の第3の実装方式において、
装置は、トランシーバが伝送路情報をターゲットプライマリ基地局に送信することをトリガーするようにさらに構成されているプロセッサをさらに備え、伝送路情報は、ターゲットプライマリ基地局によって、ソースセカンダリ基地局とサービングゲートウェイとの間の伝送路の切り替えを完了するために使用され、
トランシーバは、伝送路情報をターゲットプライマリ基地局に送信するようにさらに構成される。
【００６４】
第9の態様、または第9の態様の第1から第3の実装方式、のいずれか1つに関して、第9の態様の第4の実装方式において、
第1の構成情報は、
ソースセカンダリ基地局のセカンダリセルグループの、ソースプライマリ基地局によって割り振られたセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
第2の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含む。
【００６５】
第9の態様によれば、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【００６６】
第10の態様によれば、本発明の一実施形態は、ハンドオーバー装置を実現し、ターゲットプライマリ基地局は、この装置を使用して基地局から別の基地局へのハンドオーバーを実行する。この装置は、
ソースプライマリ基地局によって送信されたハンドオーバー要求を受信するように構成されているトランシーバであって、ハンドオーバー要求は、ソースセカンダリ基地局の構成情報を含み、ソースプライマリ基地局およびソースセカンダリ基地局は、ユーザ機器に対してサービスを共同で提供する、トランシーバと、
トランシーバが第1の指示をターゲットセカンダリ基地局に送信することをトリガーするように構成され、第1の指示は、ユーザ機器のセカンダリ基地局としての機能を果たすようにターゲットセカンダリ基地局に指示するために使用され、さらにトランシーバがハンドオーバー確認応答をソースプライマリ基地局に送信することをトリガーするように構成され、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、プロセッサとを備え、
トランシーバは、第1の指示をターゲットセカンダリ基地局に送信し、ハンドオーバー確認応答をソースプライマリ基地局に送信するようにさらに構成されている。
【００６７】
第10の態様に関して、第1の実装方式において、
トランシーバは、ターゲットセカンダリ基地局によって送信された第1の伝送路情報を受信するようにさらに構成され、第1の伝送路情報は、ターゲットセカンダリ基地局によって割り振られ、ターゲットセカンダリ基地局とサービングゲートウェイとの間のデータ伝送に使用され、
プロセッサは、トランシーバが第2の伝送路情報をターゲットセカンダリ基地局に送信することをトリガーするようにさらに構成され、第2の伝送路情報は、サービングゲートウェイによって割り振られ、ターゲットセカンダリ基地局とサービングゲートウェイとの間のデータ伝送に使用され、
トランシーバは、第2の伝送路情報をターゲットセカンダリ基地局に送信するようにさらに構成される。
【００６８】
第10の態様、または第10の態様の第1から第2の実装方式、のいずれか1つに関して、第10の態様の第3の実装方式において、
プロセッサは、トランシーバが第2の指示をソースプライマリ基地局に送信することをトリガーするようにさらに構成され、第2の指示は、ターゲットプライマリ基地局がターゲットセカンダリ基地局をユーザ機器のセカンダリ基地局として追加することを指示するために使用され、
トランシーバは、第2の指示をソースプライマリ基地局に送信するようにさらに構成される。
【００６９】
第10の態様、または第10の態様の第1から第3の実装方式、のいずれか1つに関して、第10の態様の第4の実装方式において、
ソースセカンダリ基地局の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
ターゲットセカンダリ基地局の構成情報は、
ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含む。
【００７０】
第10の態様によれば、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【００７１】
第11の態様によれば、本発明の一実施形態は、ハンドオーバー装置を実現し、ソースプライマリ基地局は、この装置を使用して基地局から別の基地局へのハンドオーバーを実行する。この装置は、
トランシーバがハンドオーバー要求をターゲットプライマリ基地局に送信することをトリガーするように構成されているプロセッサであって、ハンドオーバー要求は、ソースセカンダリ基地局の構成情報を含み、ソースプライマリ基地局およびソースセカンダリ基地局は、ユーザ機器に対してサービスを共同で提供する、プロセッサと、
ハンドオーバー要求をターゲットプライマリ基地局に送信し、ターゲットプライマリ基地局によって送信されたハンドオーバー確認応答を受信するようにさらに構成されている、トランシーバであって、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、トランシーバとを備え、
ハンドオーバー確認応答は、ターゲットプライマリ基地局によってターゲットセカンダリ基地局に送信された第1の指示に基づいており、第1の指示は、ユーザ機器のセカンダリ基地局としての機能を果たすようにターゲットセカンダリ基地局に指示するために使用される。
【００７２】
第11の態様に関して、第1の実装方式において、トランシーバは、
ターゲットプライマリ基地局によって送信された第2の指示を受信するようにさらに構成され、第2の指示は、ターゲットプライマリ基地局がターゲットセカンダリ基地局をユーザ機器のセカンダリ基地局として追加することを指示するために使用される。
【００７３】
第11の態様の第1の実装方式に関して、第11の態様の第2の実装方式において、プロセッサは、
トランシーバによって受信された第2の指示に従ってユーザ機器のベアラまたはユーザ機器のコンテキストを解放するようにさらに構成される。
【００７４】
第11の態様、または第11の態様の第1から第2の実装方式、のいずれか1つに関して、第11の態様の第3の実装方式において、
ソースセカンダリ基地局の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
ターゲットセカンダリ基地局の構成情報は、
ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含む。
【００７５】
第11の態様によれば、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【００７６】
第12の態様によれば、本発明の一実施形態は、ハンドオーバー装置を実現し、ターゲットセカンダリ基地局は、この装置を使用して基地局から別の基地局へのハンドオーバーを実行する。この装置は、
ターゲットプライマリ基地局によって送信された第1の指示を受信するように構成されているトランシーバであって、第1の指示は、ユーザ機器のセカンダリ基地局としての機能を果たすようにターゲットセカンダリ基地局に指示するために使用される、トランシーバを備え、
第1の指示は、ソースプライマリ基地局によって送信され、ターゲットプライマリ基地局によって受信されるハンドオーバー要求に基づいており、ハンドオーバー要求は、ソースセカンダリ基地局の構成情報を含み、ソースプライマリ基地局およびソースセカンダリ基地局は、ユーザ機器に対して一緒にサービスを提供し、
ハンドオーバー要求は、ハンドオーバー確認応答をソースプライマリ基地局に送信するためにターゲットプライマリ基地局によって使用され、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される。
【００７７】
第12の態様に関して、第1の実装方式において、
装置は、トランシーバが第1の伝送路情報をターゲットプライマリ基地局に送信することをトリガーするようにさらに構成されているプロセッサをさらに備え、第1の伝送路情報は、ターゲットセカンダリ基地局によって割り振られ、ターゲットセカンダリ基地局とサービングゲートウェイとの間のデータ伝送に使用され、
トランシーバは、第1の伝送路情報をターゲットプライマリ基地局に送信し、ターゲットプライマリ基地局によって送信された第2の伝送路情報を受信するようにさらに構成され、第2の伝送路情報は、サービングゲートウェイによって割り振られ、ターゲットセカンダリ基地局とサービングゲートウェイとの間のデータ伝送に使用される。
【００７８】
第12の態様、または第12の態様の第1の実装方式に関して、第12の態様の第2の実装方式において、
第1の指示は、ターゲットプライマリ基地局によって、第2の指示をソースセカンダリ基地局に送信するために使用され、第2の指示は、ターゲットプライマリ基地局がターゲットセカンダリ基地局をユーザ機器のセカンダリ基地局として追加することを指示するために使用される。
【００７９】
第12の態様、または第12の態様の第1から第2の実装方式、のいずれか1つに関して、第12の態様の第3の実装方式において、
ソースセカンダリ基地局の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
ターゲットセカンダリ基地局の構成情報は、
ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含む。
【００８０】
第12の態様によれば、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【００８１】
第13の態様によれば、本発明の一実施形態は、ハンドオーバー装置を実現し、ターゲットプライマリ基地局は、この装置を使用して基地局から別の基地局へのハンドオーバーを実行する。この装置は、
ソースプライマリ基地局によって送信されたハンドオーバー要求を受信するように構成されている受信ユニットであって、ハンドオーバー要求は、ソースセカンダリ基地局の第1の構成情報を含み、ソースプライマリ基地局およびソースセカンダリ基地局は、ユーザ機器に対してサービスを共同で提供する、受信ユニットと、
第1の指示をソースセカンダリ基地局に送信するように構成され、第1の指示は、ソースセカンダリ基地局に無変化のままであるように指示するために使用され、さらにハンドオーバー確認応答をソースプライマリ基地局に送信するように構成され、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、送信ユニットとを備える。
【００８２】
第13の態様に関して、第1の実装方式において、
第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【００８３】
第13の態様、または第7の態様の第1の実装方式に関して、第13の態様の第2の実装方式において、送信ユニットは、
ソースセカンダリ基地局に、ソースセカンダリ基地局によって割り振られたユーザ機器識別情報を送信するようにさらに構成され、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される。
【００８４】
第13の態様、または第13の態様の第1から第2の実装方式、のいずれか1つに関して、第13の態様の第3の実装方式において、受信モジュールは、
ソースセカンダリ基地局またはソースプライマリ基地局によって送信された伝送路情報を受信するようにさらに構成され、伝送路情報は、ターゲットプライマリ基地局によって、ソースセカンダリ基地局とサービングゲートウェイとの間の伝送路の切り替えを完了するために使用される。
【００８５】
第13の態様の第3の実装方式に関して、第13の態様の第4の実装方式において、送信ユニットは、
第2の指示をソースプライマリ基地局に送信するようにさらに構成され、第2の指示は、ソースセカンダリ基地局をユーザ機器のセカンダリ基地局として保持するようにソースプライマリ基地局に指示するために使用される。
【００８６】
第13の態様、または第13の態様の第1から第4の実装方式、のいずれか1つに関して、第13の態様の第5の実装方式において、受信モジュールは、
ソースプライマリ基地局によって送信された第3の指示を受信するようにさらに構成され、第3の指示は、ソースセカンダリ基地局をユーザ機器のセカンダリ基地局として保持するようにターゲットプライマリ基地局に指示するために使用される。
【００８７】
第13の態様、または第13の態様の第1から第5の実装方式、のいずれか1つに関して、第13の態様の第6の実装方式において、
第1の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
第2の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含む。
【００８８】
第13の態様によれば、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【００８９】
第14の態様によれば、本発明の一実施形態は、ハンドオーバー装置を実現し、ソースプライマリ基地局は、この装置を使用して基地局から別の基地局へのハンドオーバーを実行する。この装置は、
ハンドオーバー要求をターゲットプライマリ基地局に送信するように構成されている送信ユニットであって、ハンドオーバー要求は、ソースセカンダリ基地局の第1の構成情報を含み、ソースプライマリ基地局およびソースセカンダリ基地局は、ユーザ機器に対してサービスを共同で提供する、送信ユニットと、
ターゲットプライマリ基地局によって送信されたハンドオーバー確認応答を受信するように構成されている受信ユニットであって、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、受信ユニットとを備え、
ソースセカンダリ基地局の第2の構成情報は、ターゲットプライマリ基地局によってソースセカンダリ基地局に送信された第1の指示に基づいており、第1の指示は、ソースセカンダリ基地局に無変化のままであるように指示するために使用される。
【００９０】
第14の態様に関して、第1の実装方式において、
第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【００９１】
第14の態様または第14の態様の第1の実装方式に関して、第14の態様の第2の実装方式において、送信ユニットは、
ターゲットプライマリ基地局に、ソースセカンダリ基地局によって割り振られたユーザ機器識別情報を送信し、それにより、ターゲットプライマリ基地局は、ソースセカンダリ基地局に、ソースセカンダリ基地局によって割り振られたユーザ機器識別情報を送信するようにさらに構成され、ソースセカンダリ基地局によって割り振られたユーザ機器識別情報は、ユーザ機器を識別するためにソースセカンダリ基地局によって使用される。
【００９２】
第14の態様、または第14の態様の第1から第2の実装方式、のいずれか1つに関して、第14の態様の第3の実装方式において、送信ユニットは、
伝送路情報をターゲットプライマリ基地局に送信するようにさらに構成され、伝送路情報は、ターゲットプライマリ基地局によって、ソースセカンダリ基地局とサービングゲートウェイとの間の伝送路の切り替えを完了するために使用される。
【００９３】
第14の態様、または第14の態様の第1から第3の実装方式、のいずれか1つに関して、第14の態様の第4の実装方式において、
受信ユニットは、ターゲットプライマリ基地局によって送信された第2の指示を受信するようにさらに構成され、第2の指示は、ソースセカンダリ基地局をユーザ機器のセカンダリ基地局として保持するようにソースプライマリ基地局に指示するために使用され、
装置は、受信ユニットによって受信された第2の指示に従って、ソースセカンダリ基地局をユーザ機器のセカンダリ基地局として保持するように構成されている処理ユニットをさらに備える。
【００９４】
第14の態様または第14の態様の第1の実装方式に関して、第14の態様の第5の実装方式において、この装置は、
受信ユニットによって受信されたハンドオーバー確認応答に従って、ソースセカンダリ基地局がユーザ機器のベアラまたはユーザ機器のコンテキストを解放することをトリガーするように構成されている処理ユニットをさらに備える。
【００９５】
第14の態様、または第14の態様の第1から第5の実装方式、のいずれか1つに関して、第14の態様の第6の実装方式において、送信ユニットは、
第3の指示をターゲットプライマリ基地局に送信するようにさらに構成され、第3の指示は、ソースセカンダリ基地局をユーザ機器の用途を満たすセカンダリ基地局として保持するようにターゲットプライマリ基地局に指示するために使用される。
【００９６】
第14の態様、または第14の態様の第1から第6の実装方式、のいずれか1つに関して、第14の態様の第7の実装方式において、
第1の構成情報は、ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
第2の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含む。
【００９７】
第14の態様によれば、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【００９８】
第15の態様によれば、本発明の一実施形態は、ハンドオーバー装置を実現し、ソースセカンダリ基地局は、この装置を使用して基地局から別の基地局へのハンドオーバーを実行する。この装置は、
ターゲットプライマリ基地局によって送信された第1の指示を受信するように構成されている受信ユニットであって、第1の指示は、ソースセカンダリ基地局に無変化のままであるように指示するために使用される、受信ユニットを備え、
第1の指示は、ソースプライマリ基地局によって送信され、ターゲットプライマリ基地局によって受信されるハンドオーバー要求に基づいており、ハンドオーバー要求は、ソースセカンダリ基地局の第1の構成情報を含み、ソースプライマリ基地局およびソースセカンダリ基地局は、ユーザ機器に対してサービスを共同で提供し、
ハンドオーバー要求は、ハンドオーバー確認応答をソースプライマリ基地局に送信するためにターゲットプライマリ基地局によって使用され、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される。
【００９９】
第15の態様に関して、第1の実装方式において、
第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【０１００】
第15の態様または第15の態様の第1の実装方式に関して、第15の態様の第2の実装方式において、受信モジュールは、
ソースセカンダリ基地局によって割り振られ、ターゲットプライマリ基地局によって送信されたユーザ機器識別情報を受信するようにさらに構成され、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される。
【０１０１】
第15の態様、または第15の態様の第1から第2の実装方式、のいずれか1つに関して、第15の態様の第3の実装方式において、この装置は、
伝送路情報をターゲットプライマリ基地局に送信するように構成されている送信ユニットをさらに備え、伝送路情報は、ターゲットプライマリ基地局によって、ソースセカンダリ基地局とサービングゲートウェイとの間の伝送路の切り替えを完了するために使用される。
【０１０２】
第15の態様、または第15の態様の第1から第3の実装方式、のいずれか1つに関して、第15の態様の第4の実装方式において、
第1の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
第2の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含む。
【０１０３】
第15の態様によれば、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【０１０４】
第16の態様によれば、本発明の一実施形態は、ハンドオーバー装置を実現し、ターゲットプライマリ基地局は、この装置を使用して基地局から別の基地局へのハンドオーバーを実行する。この装置は、
ソースプライマリ基地局によって送信されたハンドオーバー要求を受信するように構成されている受信ユニットであって、ハンドオーバー要求は、ソースセカンダリ基地局の構成情報を含み、ソースプライマリ基地局およびソースセカンダリ基地局は、ユーザ機器に対してサービスを共同で提供する、受信ユニットと、
第1の指示をターゲットセカンダリ基地局に送信するように構成され、第1の指示は、ユーザ機器のセカンダリ基地局としての機能を果たすようにターゲットセカンダリ基地局に指示するために使用され、さらにハンドオーバー確認応答をソースプライマリ基地局に送信するように構成され、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、送信ユニットとを備える。
【０１０５】
第16の態様に関して、第1の実装方式において、
受信ユニットは、ターゲットセカンダリ基地局によって送信された第1の伝送路情報を受信するようにさらに構成され、第1の伝送路情報は、ターゲットセカンダリ基地局によって割り振られ、ターゲットセカンダリ基地局とサービングゲートウェイとの間のデータ伝送に使用され、
送信ユニットは、第2の伝送路情報をターゲットセカンダリ基地局に送信するようにさらに構成され、第2の伝送路情報は、サービングゲートウェイによって割り振られ、ターゲットセカンダリ基地局とサービングゲートウェイとの間のデータ伝送に使用される。
【０１０６】
第16の態様、または第16の態様の第1から第2の実装方式、のいずれか1つに関して、第16の態様の第3の実装方式において、送信ユニットは、
第2の指示をソースプライマリ基地局に送信するようにさらに構成され、第2の指示は、ターゲットプライマリ基地局がターゲットセカンダリ基地局をユーザ機器のセカンダリ基地局として追加することを指示するために使用される。
【０１０７】
第16の態様、または第16の態様の第1から第3の実装方式、のいずれか1つに関して、第16の態様の第4の実装方式において、
ソースセカンダリ基地局の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
ターゲットセカンダリ基地局の構成情報は、
ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含む。
【０１０８】
第16の態様によれば、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【０１０９】
第17の態様によれば、本発明の一実施形態は、ハンドオーバー装置を実現し、ソースプライマリ基地局は、この装置を使用して基地局から別の基地局へのハンドオーバーを実行する。この装置は、
ハンドオーバー要求をターゲットプライマリ基地局に送信するように構成されている送信ユニットであって、ハンドオーバー要求は、ソースセカンダリ基地局の構成情報を含み、ソースプライマリ基地局およびソースセカンダリ基地局は、ユーザ機器に対してサービスを共同で提供する、送信ユニットと、
ターゲットプライマリ基地局によって送信されたハンドオーバー確認応答を受信するように構成されている受信ユニットであって、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、受信ユニットとを備え、
ハンドオーバー確認応答は、ターゲットプライマリ基地局によってターゲットセカンダリ基地局に送信された第1の指示に基づいており、第1の指示は、ユーザ機器のセカンダリ基地局としての機能を果たすようにターゲットセカンダリ基地局に指示するために使用される。
【０１１０】
第17の態様に関して、第1の実装方式において、受信モジュールは、
ターゲットプライマリ基地局によって送信された第2の指示を受信するようにさらに構成され、第2の指示は、ターゲットプライマリ基地局がターゲットセカンダリ基地局をユーザ機器のセカンダリ基地局として追加することを指示するために使用される。
【０１１１】
第17の態様の第1の実装方式に関して、第17の態様の第2の実装方式において、この装置は、
受信ユニットによって受信された第2の指示に従ってユーザ機器のベアラまたはユーザ機器のコンテキストを解放するように構成されている処理ユニットをさらに備える。
【０１１２】
第17の態様、または第17の態様の第1から第2の実装方式、のいずれか1つに関して、第17の態様の第3の実装方式において、
ソースセカンダリ基地局の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
ターゲットセカンダリ基地局の構成情報は、
ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含む。
【０１１３】
第17の態様によれば、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【０１１４】
第18の態様によれば、本発明の一実施形態は、ハンドオーバー装置を実現し、ターゲットセカンダリ基地局は、この装置を使用して基地局から別の基地局へのハンドオーバーを実行する。この装置は、
ターゲットプライマリ基地局によって送信された第1の指示を受信するように構成されている受信ユニットであって、第1の指示は、ユーザ機器のセカンダリ基地局としての機能を果たすようにターゲットセカンダリ基地局に指示するために使用される、受信ユニットを備え、
第1の指示は、ソースプライマリ基地局によって送信され、ターゲットプライマリ基地局によって受信されるハンドオーバー要求に基づいており、ハンドオーバー要求は、ソースセカンダリ基地局の構成情報を含み、ソースプライマリ基地局およびソースセカンダリ基地局は、ユーザ機器に対して一緒にサービスを提供し、
ハンドオーバー要求は、ハンドオーバー確認応答をソースプライマリ基地局に送信するためにターゲットプライマリ基地局によって使用され、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される。
【０１１５】
第18の態様に関して、第1の実装方式において、この装置は、
第1の伝送路情報をターゲットプライマリ基地局に送信するように構成されている送信ユニットをさらに備え、第1の伝送路情報は、ターゲットセカンダリ基地局によって割り振られ、ターゲットセカンダリ基地局とサービングゲートウェイとの間のデータ伝送に使用され、
受信ユニットは、ターゲットプライマリ基地局によって送信された第2の伝送路情報を受信するようにさらに構成され、第2の伝送路情報は、サービングゲートウェイによって割り振られ、ターゲットセカンダリ基地局とサービングゲートウェイとの間のデータ伝送に使用される。
【０１１６】
第18の態様または第18の態様の第1の実装方式に関して、第18の態様の第2の実装方式において、
第1の指示は、ターゲットプライマリ基地局によって、第2の指示をソースセカンダリ基地局に送信するために使用され、第2の指示は、ターゲットプライマリ基地局がターゲットセカンダリ基地局をユーザ機器のセカンダリ基地局として追加することを指示するために使用される。
【０１１７】
第18の態様、または第18の態様の第1から第2の実装方式、のいずれか1つに関して、第18の態様の第3の実装方式において、
ソースセカンダリ基地局の構成情報は、
ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み、
ターゲットセカンダリ基地局の構成情報は、
ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含む。
【０１１８】
第18の態様によれば、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【図面の簡単な説明】
【０１１９】
【図１】通信システムのアーキテクチャの概略図である。
【図２】プライマリ基地局およびセカンダリ基地局がユーザ機器に対して通信サービスを提供するネットワークアーキテクチャの概略図である。
【図３】本発明の一実施形態によるハンドオーバー方法の概略フローチャートである。
【図４】本発明の一実施形態によるハンドオーバー方法の概略フローチャートである。
【図５】本発明の一実施形態によるハンドオーバー方法の概略フローチャートである。
【図６】本発明の一実施形態によるハンドオーバー方法の概略フローチャートである。
【図７】本発明の一実施形態によるハンドオーバー方法の概略フローチャートである。
【図８】本発明の一実施形態によるハンドオーバー装置の概略構造図である。
【図９】本発明の一実施形態によるハンドオーバー装置の概略構造図である。
【図１０】本発明の一実施形態によるハンドオーバー装置の概略構造図である。
【図１１】本発明の一実施形態によるハンドオーバー装置の概略構造図である。
【図１２】本発明の一実施形態によるハンドオーバー装置の概略構造図である。
【図１３】本発明の一実施形態によるハンドオーバー装置の概略構造図である。
【図１４】本発明の一実施形態によるハンドオーバー装置の概略構造図である。
【図１５】本発明の一実施形態によるハンドオーバー装置の概略構造図である。
【図１６】本発明の一実施形態によるハンドオーバー装置の概略構造図である。
【図１７】本発明の一実施形態によるハンドオーバー装置の概略構造図である。
【図１８】本発明の一実施形態によるハンドオーバー装置の概略構造図である。
【図１９】本発明の一実施形態によるハンドオーバー装置の概略構造図である。
【発明を実施するための形態】
【０１２０】
以下では、本発明の実施形態の添付図面を参照しつつ本発明の実施形態の技術的解決方法について明確に、かつ完全に説明する。明らかに、説明されている実施形態は、本発明の実施形態のすべてではなくむしろ一部にすぎない。創造的労力を費やすことなく本発明の実施形態に基づいて当業者が得る他のすべての実施形態は、本発明の保護の範囲内に収まるものとする。
【０１２１】
本発明の技術的解決方法は、本発明に限定されない、汎欧州デジタル移動電話方式(Global System of Mobile communication、略してGSM(登録商標))、符号分割多元接続(Code Division Multiple Access、略してCDMA)システム、広帯域符号分割多元接続(Wideband Code Division Multiple Access Wireless、略してWCDMA(登録商標))システム、汎用パケット無線サービス(General Packet Radio Service、略してGPRS)システム、ロングタームエボリューション(Long Term Evolution、略してLTE)システム、およびユニバーサルモバイル通信システム(Universal Mobile Telecommunications System、略してUMTS)などのワイヤレスセルラーネットワークにおける様々な通信システムに適用され得る。
【０１２２】
本発明の実施形態において、携帯端末(Mobile Terminal)、モバイルユーザ機器などとも称される、ユーザ機器(User Equipment、略してUE)は、無線アクセスネットワーク(たとえば、Radio Access Network、略してRAN)を通じて1つまたは複数のコアネットワークと通信し得る。ユーザ機器は、携帯電話(「セルラー」フォンとも称される)などの携帯端末および携帯端末を備えるコンピュータであってよい。たとえば、ユーザ機器は、本発明に限定されない、無線アクセスネットワークと言語および/またはデータを交換する、携帯型、ポケットサイズ、ハンドヘルド、コンピュータ内蔵、または車載型モバイル装置であってよい。
【０１２３】
基地局は、本発明に限定されない、GSMまたはCDMAにおけるトランシーバ基地局(Base Transceiver Station、略してBTS)であり得るか、またはWCDMAにおけるNodeB(NodeB)であり得るか、またはLTEにおける発展型NodeB(eNBまたはe-NodeB、evolved Node B)であり得る。基地局は、UMTSにおける無線ネットワークコントローラ(Radio Network Controller、略してRNC)、または複数のスモールセルを管理するコントローラなどの、様々なアクセスネットワークノードの制御ノードも含む。
【０１２４】
本発明の実施形態において、ロングタームエボリューション(Long Term Evolution、LTE)通信システムは一例として使用されているが、これに限定されない。図1に示されているように、LTE通信システムのアーキテクチャの概略図において、ワイヤレス通信ネットワーク100は、少なくとも1つの基地局110とコアネットワークデバイス130とを備えるものとしてよく、その結果、通信用のユーザ機器(User Equipment、UE)120をサポートすることができる。たとえば、基地局110は、LTEにおける発展型NodeB(evolved NodeB、eNB)であってよく、基地局110は、1つまたは複数のセルをサポートするか、または管理し得る。デュアルコネクティビティ(Dual Connectivity)モードのユーザ機器120が、ネットワークと通信する必要があるときに、ユーザ機器120は、少なくとも2つの基地局110からデータを受信し得る、すなわち、少なくとも2つの基地局110がユーザ機器120に対してサービスを提供する。基地局110は、プライマリ基地局および/またはセカンダリ基地局の機能を実装し得る。コアネットワークデバイス130は、モビリティ管理エンティティ(Mobile Management Entity、MME)を含み得る。
【０１２５】
図2に示されているように、図2は、プライマリ基地局(たとえば、マクロ基地局)およびセカンダリ基地局(たとえば、マクロ基地局)の両方がユーザ機器に通信サービスを提供するネットワークアーキテクチャの概略図である。デュアルコネクティビティで構成されているユーザ機器については、プライマリ基地局は、プライマリセル(PCell、Primarily Cell)を含む少なくとも1つのサービングセルを構成し得る。セルは、マスターセルグループ(MCG、Master Cell Group)と称されるものとしてよく、プライマリセルは、ノンアクセスストラタム情報(たとえば、トラッキングエリア識別情報)、セキュリティパラメータ、および同様のものを提供するためにプライマリ基地局によって使用され得る。たとえば、マスターセルグループは、1つのプライマリセルを含んでもよく、少なくとも1つのセカンダリセルをさらに含み得る。セカンダリ基地局は、プライマリセカンダリセル(PSCell、Primarily Secondary Cell)を含む少なくとも1つのサービングセルを構成することができ、プライマリセカンダリセルは、物理層アップリンク制御チャネル、ランダムアクセス、または同様のものを提供するためにセカンダリ基地局によって使用されてよく、セルは、セカンダリセルグループ(SCG、Secondary Cell Group)と称されるものとしてよい。たとえば、セカンダリセルグループは、1つのプライマリセカンダリセルを含んでもよく、少なくとも1つのセカンダリセルをさらに含み得る。
【０１２６】
本発明の実施形態において、関係するシナリオは、プライマリ基地局からユーザ機器に対してサービスを提供する別のプライマリ基地局へのハンドオーバーである。ハンドオーバーの前では、ユーザ機器に対してサービスを提供するプライマリ基地局は、以下ではソースプライマリ基地局と称され、ハンドオーバーの後では、ユーザ機器に対してサービスを提供するプライマリ基地局は、以下ではターゲットプライマリ基地局と称される。同様に、ハンドオーバーの前では、ユーザ機器に対してサービスを提供するセカンダリ基地局は、以下ではソースセカンダリ基地局と称され、ハンドオーバーの後では、ユーザ機器に対してサービスを提供するセカンダリ基地局は、以下ではターゲットセカンダリ基地局と称される。
【０１２７】
実施形態1
図3に示されているように、本発明の一実施形態はハンドオーバー方法を提供し、この方法はターゲットプライマリ基地局によって実行され、次のステップを含む。
【０１２８】
301  ターゲットプライマリ基地局がソースプライマリ基地局によって送信されたハンドオーバー要求を受信し、ハンドオーバー要求は、ソースセカンダリ基地局の第1の構成情報を含み、ソースプライマリ基地局およびソースセカンダリ基地局は、ユーザ機器に対してサービスを共同で提供する。
【０１２９】
302  ターゲットプライマリ基地局は、第1の指示をソースセカンダリ基地局に送信し、第1の指示は、ソースセカンダリ基地局に無変化のままであるように指示するために使用される。
【０１３０】
303  ターゲットプライマリ基地局は、ハンドオーバー確認応答をソースプライマリ基地局に送信し、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される。
【０１３１】
この実施形態において、第1の構成情報は、セカンダリセルグループの構成情報であってよい。たとえば、第1の構成情報は、ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み得る。セル測定情報は、基準信号受信電力(Reference signal received power、RSRP)の測定結果であってよく、ベアラ構成情報は、ベアラタイプ(たとえば、SCGベアラもしくは分割(Split)ベアラ)、またはベアラのサービス品質(Quality of Service、QoS)パラメータであり得る。SCGベアラは、ベアラ上のすべてのデータがソースセカンダリ基地局で確立されることを指示するものとしてよく、データは、ソースセカンダリ基地局とサービングゲートウェイ(Serving Gateway、SGW)との間で直接送信される。分割されたベアラは、ベアラ上のデータがソースプライマリ基地局とソースセカンダリ基地局の両方で確立され得ることを指示し、データは、ソースプライマリ基地局とサービングゲートウェイとの間で送信される。たとえば、ターゲットプライマリ基地局は、SCG内のサービングセルの測定情報に従ってSCG内のサービングセルを追加するか、もしくは削除し得るか、またはソースセカンダリ基地局の別のセル、すなわち、SCGに含まれていないセルをサービングセルとして追加し得る。ターゲットプライマリ基地局は、ターゲットプライマリ基地局の第1の構成情報および/またはローカル構成情報に従って、元のSCGを保持するかどうかを決定することができる。たとえば、ターゲットプライマリ基地局のローカル構成情報は、ターゲットプライマリ基地局がデュアルコネクティビティ機能をサポートするかどうか、ターゲットプライマリ基地局がソースセカンダリ基地局を無変化に保持する機能をサポートするかどうか、またはターゲットプライマリ基地局の負荷状況のうちの少なくとも1つであってよい。
【０１３２】
この実施形態において、第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【０１３３】
たとえば、ハンドオーバーの前後にソースセカンダリ基地局をユーザ機器のセカンダリ基地局として保持することを決定したときに、ターゲットプライマリ基地局は、セカンダリ基地局追加要求またはセカンダリ基地局修正要求をソースセカンダリ基地局に送信し得る。セカンダリ基地局追加要求およびセカンダリ基地局修正要求は、セカンダリ基地局が追加されるシナリオおよびセカンダリ基地局が修正されるシナリオにそれぞれ対応しており、詳細は以下で説明される。
【０１３４】
セカンダリ基地局追加要求(SeNB Addition Request)は、以下で一例として使用されている。セカンダリ基地局追加要求は、第1の指示を含み、第1の指示は、ソースプライマリ基地局を変化させるが、ソースセカンダリ基地局を無変化に保持するように指示するために使用される。第1の指示は、ソースセカンダリ基地局に、ハンドオーバー手順において無変化のままであるか、またはハンドオーバー手順に基づくように指示することもできる。第1の指示は、新しい情報要素(IE、information element)であり得るか、または他の任意の暗黙のもしくは明示的な指示であり得る。ソースセカンダリ基地局が第1の指示を受信した後に、ソースセカンダリ基地局追加失敗は、繰り返しユーザ機器コンテキスト情報、繰り返しベアラ、または繰り返しユーザ機器サブスクリプション情報(repeated user equipment subscription information)が検出されたときでも決定されない。しかしながら、たとえば、ソースセカンダリ基地局が、ハンドオーバーの前にソースプライマリ基地局からユーザ機器のコンテキスト情報、たとえば、SGWとソースプライマリ基地局との間のベアラに対してサービングゲートウェイ(Serving Gateway、SGW)によって割り振られた、伝送路情報(たとえば、インターネットプロトコル(Internet Protocol、IP)アドレスおよびトンネリングプロトコル(汎用パケット無線サービストンネリングプロトコル(General Packet Radio Service、GPRS) Tunneling Protocol、GTP)識別情報)を取得している場合、ベアラに対してSGWによって割り振られた同じ伝送路情報は、SeNB Addition Requestメッセージで繰り返し受信される。SeNB Addition Requestメッセージが第1の指示を含まない場合、ソースセカンダリ基地局は、セカンダリ基地局追加失敗(SeNB Addition Failure)メッセージをターゲットプライマリ基地局に返す。SeNB Addition Requestメッセージが第1の指示を含む場合、ソースセカンダリ基地局は、繰り返しが許されているとみなして、セカンダリ基地局追加確認応答
(SeNB Addition Acknowledge)メッセージをターゲットプライマリ基地局に返す。
【０１３５】
本発明のこの実施形態において、ターゲットプライマリ基地局は、ソースプライマリ基地局によって送信された第3の指示を受信するものとしてよく、第3の指示は、ソースセカンダリ基地局をユーザ機器のセカンダリ基地局として保持するようにターゲットプライマリ基地局に指示するために使用される。
【０１３６】
したがって、この実施形態では、セカンダリ基地局がプライマリ基地局から別のプライマリ基地局へのハンドオーバーのプロセスにおいて無変化のままであるように実装されてよく、デュアルコネクティビティ通信がハンドオーバーの前および後の両方で実施されるように実装され得る。さらに、ターゲットプライマリ基地局がハンドオーバーの完了後にユーザ機器に使用されるセカンダリ基地局を追加することは回避されるものとしてよく、ハンドオーバーによって引き起こされる遅延は、低減される。
【０１３７】
この実施形態において、ターゲットプライマリ基地局は、第1の構成情報に従って第2の構成情報を取得し得る。たとえば、ターゲットプライマリ基地局は、第1の構成情報に従ってソースセカンダリ基地局によって取得された第2の構成情報を受信し、第2の構成情報をハンドオーバー確認応答メッセージに追加し、ハンドオーバー確認応答メッセージをソースプライマリ基地局に送信し得る。第2の構成情報は、ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み得る。
【０１３８】
本発明のこの実施形態において、ソースセカンダリ基地局は、プライマリ基地局から別のプライマリ基地局へのハンドオーバーのプロセスにおいて無変化のままである、すなわち、ターゲットプライマリ基地局は、ソースプライマリ基地局からターゲットプライマリ基地局へのハンドオーバーのプロセスにおいてユーザ機器に対する同じセカンダリ基地局、すなわち、ソースセカンダリ基地局を追加することを決定する。2つの実装方式があり得る。
【０１３９】
第1の実装方式は、セカンダリ基地局追加手順を使用することによって実装されるものとしてよく、ターゲットプライマリ基地局は、セカンダリ基地局追加要求をソースセカンダリ基地局に送信し、ユーザ機器のセカンダリ基地局のままであるようにソースセカンダリ基地局に指示する。
【０１４０】
第1の実装方式について、ソースプライマリ基地局が、ターゲットプライマリ基地局によって送信されたハンドオーバー確認応答メッセージを受信したときに、ソースプライマリ基地局は、ソースセカンダリ基地局がユーザ機器のコンテキストを解放し、ベアラをリザーブすることをトリガーし得る。
【０１４１】
第2の実装方式は、セカンダリ基地局修正手順を使用することによって実装されるものとしてよく、ソースプライマリ基地局は、セカンダリ基地局修正要求をソースセカンダリ基地局に送信し、ユーザ機器のセカンダリ基地局のままであるようにソースセカンダリ基地局に指示する。
【０１４２】
第2の実装方式について、適宜、ターゲットプライマリ基地局は、ソースセカンダリ基地局に、ソースセカンダリ基地局によって割り振られたユーザ機器識別情報を送信し、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される。
【０１４３】
第2の実装方式について、適宜、ターゲットプライマリ基地局は、ソースセカンダリ基地局またはソースプライマリ基地局によって送信された伝送路情報を受信し、伝送路情報は、ターゲットプライマリ基地局によって、ソースセカンダリ基地局とサービングゲートウェイとの間の伝送路の切り替えを完了するために使用される。
【０１４４】
第2の実装方式について、適宜、ターゲットプライマリ基地局は、第2の指示をソースプライマリ基地局に送信し、第2の指示は、ソースセカンダリ基地局をユーザ機器のセカンダリ基地局として保持するようにソースプライマリ基地局に指示するために使用される。
【０１４５】
ハンドオーバー確認応答メッセージは、第2の指示を含むものとしてよく、第2の指示は、ソースセカンダリ基地局をユーザ機器のセカンダリ基地局として保持するようにソースプライマリ基地局に指示するために使用される。ソースプライマリ基地局は、第2の指示に従って、ソースセカンダリ基地局をユーザ機器のセカンダリ基地局として保持する。
【０１４６】
たとえば、ソースプライマリ基地局が、第2の指示を受信したときに、ソースプライマリ基地局は、UEのコンテキストを解放することをソースセカンダリ基地局に要求しないか、またはデータ転送情報をソースセカンダリ基地局に送信しないか、またはすべてのベアラもしくは一部のベアラ上のデータが転送されることを必要としないことをソースセカンダリ基地局に通知する。第2の指示は、暗黙の指示でもあり得る。たとえば、ソースプライマリ基地局は、第2の構成情報を構文解析し、ソースセカンダリ基地局が解放されるべきか、またはリザーブされ続けるべきかを決定することができる。
【０１４７】
この実施形態において、ソースセカンダリ基地局は、第2の構成情報をユーザ機器に送信し得る。ユーザ機器が、元のセカンダリ基地局のベアラを無変化のままに保持する場合、ユーザ機器は、第2の構成情報に従って、搭載されている媒体アクセス制御(Medium Access Control、MAC)エンティティをリセットすることも、搭載されている無線リンク制御(Radio Link Control、RLC)エンティティを再確立することもし得ず、ユーザ機器は、新しいセキュリティパラメータに従って搭載されているパケットデータコンバージェンスプロトコル(Packet Data Convergence Protocol、PDCP)を再構成する(たとえば、新しいセカンダリ基地局鍵SKeNBが、新しい基地局鍵KeNBに従って導出され、次いで、ソースセカンダリ基地局におけるデータ伝送用の暗号鍵が導出される)。ベアラが変わっていないときに、ユーザ機器とソースセカンダリ基地局との間のデータ無線ベアラ(Data Radio Bearer、DRB)は、無変化のままであり、元の構成、すなわち、MACおよび/またはRLCが使用され得ることは理解され得る。
【０１４８】
第1の実装方式は、以下では、一例として使用されている、すなわち、ハンドオーバーベースのデュアルコネクティビティ通信は、セカンダリ基地局追加手順を使用することによって詳細に説明される。図4に示されているように、この実装方式は、ソースプライマリ基地局、ターゲット基地局、およびセカンダリ基地局の間の相互作用を用いてもっぱら遂行され、次のステップを含む。
【０１４９】
401  ソースプライマリ基地局が、ハンドオーバー要求をターゲットプライマリ基地局に送信し、ハンドオーバー要求は、ソースセカンダリ基地局の第1の構成情報を含む。
【０１５０】
第1の構成情報について、前述の説明への参照がなされるものとしてよく、詳細はここでさらに説明されない。
【０１５１】
402  ターゲットプライマリ基地局は、ハンドオーバーの前および後にソースセカンダリ基地局をユーザ機器のセカンダリ基地局として保持することを決定する。
【０１５２】
適宜、ターゲットプライマリ基地局は、ローカル構成情報および/またはソースセカンダリ基地局の第1の構成情報に従って、ハンドオーバーの前および後にソースセカンダリ基地局をユーザ機器のセカンダリ基地局として保持することを決定する。
【０１５３】
ローカル構成情報について、前述の説明への参照がなされるものとしてよく、詳細はここでさらに説明されない。
【０１５４】
適宜、ターゲットプライマリ基地局は、ソースプライマリ基地局によって送信された第3の指示を受信し、第3の指示は、ソースセカンダリ基地局をユーザ機器のセカンダリ基地局として保持するようにターゲットプライマリ基地局に指示するために使用される。たとえば、第3の指示は、ハンドオーバー要求に含まれる。
【０１５５】
適宜、ターゲットプライマリ基地局は、ポリシーに従って第3の指示を拒絶することもできる。たとえば、ターゲットプライマリ基地局にかかる負荷が比較的軽く、セカンダリ基地局がデータを共有する必要がないときには、ターゲットプライマリ基地局は、ソースセカンダリ基地局を、ユーザ機器の用途を満たすセカンダリ基地局として追加することを拒絶し得る。たとえば、ターゲットプライマリ基地局は、ハンドオーバー確認応答において、ターゲットプライマリ基地局がソースセカンダリ基地局を、ユーザ機器の用途を満たすセカンダリ基地局として追加することを拒絶することをソースプライマリ基地局に通知し得る。
【０１５６】
403  ターゲットプライマリ基地局は、セカンダリ基地局追加要求をソースセカンダリ基地局に送信し、セカンダリ基地局追加要求は、第1の指示を含む。
【０１５７】
第1の指示について、前述の説明への参照がなされるものとしてよく、詳細はここでさらに説明されない。
【０１５８】
404  ソースセカンダリ基地局は、セカンダリ基地局追加プロセスを実行するときに第1の構成情報に従って第2の構成情報を取得する。
【０１５９】
第2の構成情報について、前述の説明への参照がなされるものとしてよく、詳細はここでさらに説明されない。
【０１６０】
405  ソースセカンダリ基地局は、セカンダリ基地局追加確認応答をターゲットプライマリ基地局に送信する。
【０１６１】
適宜、追加確認応答は、第2の構成情報を含む。
【０１６２】
406  ターゲットプライマリ基地局は、ハンドオーバー確認応答をソースプライマリ基地局に送信する。
【０１６３】
適宜、ハンドオーバー確認応答は、第2の構成情報を含み、第2の構成情報は、ターゲットプライマリ基地局およびソースセカンダリ基地局によってユーザ機器に対してサービスを共同で提供するために使用される。
【０１６４】
407  ソースプライマリ基地局は、解放要求をソースセカンダリ基地局に送信する。
【０１６５】
解放要求は、ユーザ機器のベアラまたはユーザ機器のコンテキストを解放することをソースセカンダリ基地局に要求するか、またはデータ転送情報が、ソースセカンダリ基地局に送信されるべきであることをソースセカンダリ基地局に通知するか、またはすべてのベアラもしくは一部のベアラ上のデータが転送される必要があることをソースセカンダリ基地局に通知するために使用される。
【０１６６】
第2の実装方式は、以下では、一例として使用されている、すなわち、ハンドオーバーベースのデュアルコネクティビティ通信は、セカンダリ基地局修正手順を使用することによって詳細に説明される。図5に示されているように、この実装方式は、ソースプライマリ基地局、ターゲット基地局、およびセカンダリ基地局の間の相互作用を用いてもっぱら遂行され、次のステップを含む。
【０１６７】
501  ソースプライマリ基地局が、ハンドオーバー要求をターゲットプライマリ基地局に送信し、ハンドオーバー要求は、ソースセカンダリ基地局の第1の構成情報を含む。
【０１６８】
第1の構成情報について、前述の説明への参照がなされるものとしてよく、詳細はここでさらに説明されない。
【０１６９】
適宜、ハンドオーバー要求は、ソースセカンダリ基地局によって割り振られたユーザ機器識別情報を含み、たとえば、ソースセカンダリ基地局によって割り振られたユーザ機器識別情報は、X2ユーザ機器アプリケーション識別情報(UE AP ID)、またはセル無線ネットワーク一時識別子(C-RNTI)であってよい。この実施形態において、ソースセカンダリ基地局によって割り振られたユーザ機器識別情報は、ソースセカンダリ基地局およびソースプライマリ基地局がハンドオーバーの前にユーザ機器に対してサービスを提供することを指示するために使用されるか、またはソースセカンダリ基地局およびターゲットプライマリ基地局がハンドオーバーの後にユーザ機器に対してサービスを提供することを指示するために使用され得る。
【０１７０】
適宜、ハンドオーバー要求は、ソースプライマリ基地局によって送信された伝送路情報を含み、伝送路情報は、ターゲットプライマリ基地局によって、ソースセカンダリ基地局とサービングゲートウェイとの間の伝送路の切り替えを完了するために使用される。
【０１７１】
502  ターゲットプライマリ基地局は、ハンドオーバーの前および後にソースセカンダリ基地局をユーザ機器のセカンダリ基地局として保持することを決定する。
【０１７２】
適宜、ターゲットプライマリ基地局は、ローカル構成情報および/またはソースセカンダリ基地局の第1の構成情報に従って、ハンドオーバーの前および後にソースセカンダリ基地局をユーザ機器のセカンダリ基地局として保持することを決定する。
【０１７３】
ローカル構成情報について、前述の説明への参照がなされるものとしてよく、詳細はここでさらに説明されない。
【０１７４】
適宜、ターゲットプライマリ基地局は、ソースプライマリ基地局によって送信された第3の指示を受信し、第3の指示は、ソースセカンダリ基地局をユーザ機器のセカンダリ基地局として保持するようにターゲットプライマリ基地局に指示するために使用される。たとえば、第3の指示は、ハンドオーバー要求に含まれる。
【０１７５】
適宜、ターゲットプライマリ基地局は、ポリシーに従って第3の指示を拒絶することもできる。たとえば、ターゲットプライマリ基地局にかかる負荷が比較的軽く、セカンダリ基地局がデータを共有する必要がないときには、ターゲットプライマリ基地局は、ソースセカンダリ基地局を、ユーザ機器の用途を満たすセカンダリ基地局として追加することを拒絶し得る。たとえば、ターゲットプライマリ基地局は、ハンドオーバー確認応答において、ターゲットプライマリ基地局がソースセカンダリ基地局を、ユーザ機器の用途を満たすセカンダリ基地局として追加することを拒絶することをソースプライマリ基地局に通知し得る。
【０１７６】
503  ターゲットプライマリ基地局は、セカンダリ基地局修正要求をソースセカンダリ基地局に送信し、セカンダリ基地局修正要求は、第1の指示を含む。
【０１７７】
適宜、セカンダリ基地局修正要求は、ソースセカンダリ基地局によって割り振られたユーザ機器識別情報を含む。さらに、セカンダリ基地局修正要求は、ユーザ機器識別情報をさらに含み得る。ユーザ機器識別情報は、ターゲットプライマリ基地局によって割り振られた新しい識別情報であってよい。
【０１７８】
第1の指示は、ソースセカンダリ基地局に無変化のままであるように指示するために使用される。特に、第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために使用され得る。第1の指示は、ソースセカンダリ基地局に、ハンドオーバー手順において無変化のままであるか、またはハンドオーバー手順に基づくように指示することもできる。第1の指示は、新しいIEであり得るか、または他の任意の暗黙のもしくは明示的な指示であり得る。ソースセカンダリ基地局が第1の指示を受信した後に、ソースセカンダリ基地局修正失敗は、繰り返しユーザ機器コンテキスト情報、繰り返しベアラ、または繰り返しユーザ機器サブスクリプション情報が検出されたとしても決定されない。
【０１７９】
たとえば、第1の指示が暗黙の指示であるときに、第1の指示は、ソースセカンダリ基地局によって割り振られたユーザ機器識別情報(ソースセカンダリ基地局ユーザ機器アプリケーション識別情報S-SeNB UE AP IDは一例として使用されている)およびユーザ機器識別情報(T-MeNB UE AP IDは一例として使用されている)を含み、したがって、セカンダリ基地局修正要求を受信した後、ソースセカンダリ基地局は、ターゲットプライマリ基地局によって搬送されるユーザ機器識別情報およびソースセカンダリ基地局によって保存されるユーザ機器識別情報(ソースプライマリ基地局ユーザ機器アプリケーション識別情報S-MeNB UE AP IDは一例として使用されている)に従って、ユーザ機器の用途を満たすプライマリ基地局がソースプライマリ基地局からターゲットプライマリ基地局に変わったことを知る。セカンダリ基地局修正要求(SeNB Modification Request)メッセージが第1の指示を含まない場合、ソースセカンダリ基地局は、セカンダリ基地局修正失敗(SeNB Modification Failure)メッセージをターゲットプライマリ基地局に返す。SeNB Addition Requestメッセージが第1の指示を含む場合、ソースセカンダリ基地局は、繰り返しが許されているとみなして、セカンダリ基地局修正確認応答(SeNB Modification Acknowledge)メッセージをターゲットプライマリ基地局に返す。ソースセカンダリ基地局が、ソースセカンダリ基地局によって割り振られ、ソースセカンダリ基地局に記憶されているものと同じであるユーザ機器識別情報、および異なるプライマリ基地局によって割り振られたユーザ機器識別情報を受信したときに、第1の指示は、セカンダリ基地局修正手順失敗を回避するために使用され得る。
【０１８０】
504  ソースセカンダリ基地局は、セカンダリ基地局修正プロセスを実行するときに第1の構成情報に従って第2の構成情報を取得する。
【０１８１】
第2の構成情報について、前述の説明への参照がなされるものとしてよく、詳細はここでさらに説明されない。
【０１８２】
適宜、ソースセカンダリ基地局が修正を実行するプロセスにおいて、ソースセカンダリ基地局は、ユーザ機器のコンテキストに従って、ソースプライマリ基地局によって割り振られたユーザ機器のローカルに記憶されているコンテキストを修正する。
【０１８３】
505  ソースセカンダリ基地局は、セカンダリ基地局修正確認応答をターゲットプライマリ基地局に送信し、セカンダリ基地局追加確認応答は、第2の構成情報を含む。
【０１８４】
506  ターゲットプライマリ基地局は、ハンドオーバー確認応答をソースプライマリ基地局に送信し、ハンドオーバー確認応答は、第2の構成情報および第2の指示を含む。
【０１８５】
適宜、第2の構成情報は、ターゲットプライマリ基地局およびソースセカンダリ基地局によってユーザ機器に対してサービスを共同で提供するために使用される。第2の指示は、ソースセカンダリ基地局をユーザ機器のセカンダリ基地局として保持するようにソースプライマリ基地局に指示するために使用される。ソースプライマリ基地局は、第2の指示に従って、ソースセカンダリ基地局をユーザ機器のセカンダリ基地局として保持する。第2の指示は、ソースセカンダリ基地局に、ハンドオーバー手順において無変化のままであるか、またはハンドオーバー手順に基づくように指示することもできる。
【０１８６】
507  ソースプライマリ基地局は、ソースセカンダリ基地局を、対象のユーザ機器の用途を満たすユーザ機器として保持する。
【０１８７】
適宜、ハンドオーバー確認応答を受信した後、ソースプライマリ基地局は、第2の指示に従ってセカンダリ基地局解放要求をソースセカンダリ基地局に送信しない。たとえば、ソースプライマリ基地局は、ソースセカンダリ基地局がユーザ機器のベアラまたはユーザ機器のコンテキストを解放することをトリガーしないか、またはソースプライマリ基地局は、ソースセカンダリ基地局を、対象のユーザ機器の用途を満たすユーザ機器として保持する。
【０１８８】
適宜、ソースプライマリ基地局が、第2の指示を受信したときに、ソースプライマリ基地局は、UEのコンテキストを解放することをソースセカンダリ基地局に要求しないか、またはデータ転送情報をソースセカンダリ基地局に送信しないか、またはすべてのベアラもしくは一部のベアラ上のデータが転送されることを必要としないことをソースセカンダリ基地局に通知する。第2の指示は、暗黙の指示でもあり得る。たとえば、ソースプライマリ基地局は、第2の構成情報を構文解析し、ソースセカンダリ基地局が解放されるべきか、またはリザーブされ続けるべきかを決定することができる。別の例では、UEが、元のセカンダリ基地局のベアラを無変化のままに保持する場合、UEは、第2の構成情報に従って、搭載されているMACエンティティをリセットすることも、搭載されているRLCエンティティを再確立することもし得ず、UEは、新しいセキュリティパラメータに従って搭載されているPDCPエンティティを再構成する(たとえば、新しいSKeNBが、新しいKeNBに従って導出され、次いで、ソースセカンダリ基地局におけるデータ伝送用の暗号鍵が導出される)。
【０１８９】
508  ターゲットプライマリ基地局は、経路切り替え要求をMMEに送信する。
【０１９０】
経路切り替え要求は、伝送路情報を含み、伝送路情報は、ソースセカンダリ基地局またはソースプライマリ基地局によって送信された伝送路情報に従って取得され、ソースセカンダリ基地局とサービングゲートウェイとの間の伝送路の切り替え遂行に使用される。たとえば、ターゲットプライマリ基地局によってMMEに送信された伝送路情報は、ソースセカンダリ基地局またはソースプライマリ基地局から取得された伝送路情報、および伝送路情報を含み得る。
【０１９１】
適宜、伝送路情報が変化したベアラに関する情報のみを搬送する経路切り替え要求は、サービングゲートウェイに送信される。たとえば、ターゲットプライマリ基地局は、指示メッセージをMMEに送信し、指示メッセージは、MMEが、伝送路情報が変化したベアラに関する情報を更新する必要があることを指示するために使用される。
【０１９２】
この実施形態において、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【０１９３】
実施形態2
図6に示されているように、本発明の一実施形態はハンドオーバー方法を提供し、この方法はターゲットプライマリ基地局によって実行され、次のステップを含む。
【０１９４】
601  ターゲットプライマリ基地局がソースプライマリ基地局によって送信されたハンドオーバー要求を受信し、ハンドオーバー要求は、ソースセカンダリ基地局の構成情報を含み、ソースプライマリ基地局およびソースセカンダリ基地局は、ユーザ機器に対してサービスを共同で提供する。
【０１９５】
602  ターゲットプライマリ基地局は、第1の指示をターゲットセカンダリ基地局に送信し、第1の指示は、ユーザ機器のセカンダリ基地局としての機能を果たすようにターゲットセカンダリ基地局に指示するために使用される。
【０１９６】
603  ターゲットプライマリ基地局は、ハンドオーバー確認応答をソースプライマリ基地局に送信し、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される。
【０１９７】
この実施形態において、ソースセカンダリ基地局の構成情報は、ソースセカンダリ基地局のセカンダリセルグループの構成情報であってよい。たとえば、ソースセカンダリ基地局の構成情報は、ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み得る。セル測定情報は、RSRPの測定結果であってよく、ベアラ構成情報は、ベアラタイプ(たとえば、SCGベアラもしくはSplitベアラ)、またはベアラのQoSパラメータであってよい。ターゲットプライマリ基地局は、ソースセカンダリ基地局の構成情報および/またはターゲットプライマリ基地局のローカル構成情報に従って、ユーザ機器のセカンダリ基地局をターゲットセカンダリ基地局に変えるかどうかを決定し得る。たとえば、ターゲットプライマリ基地局のローカル構成情報は、ターゲットプライマリ基地局がデュアルコネクティビティ機能をサポートするかどうか、ターゲットプライマリ基地局がソースセカンダリ基地局を無変化に保持する機能をサポートするかどうか、またはターゲットプライマリ基地局の負荷状況のうちの少なくとも1つであってよい。
【０１９８】
この実施形態において、第1の指示は、ユーザ機器の用途を満たすセカンダリ基地局としての機能を果たすようにターゲットセカンダリ基地局に指示し、ユーザ機器の用途を満たすプライマリ基地局をソースプライマリ基地局からターゲットプライマリ基地局に変更するように指示し、ユーザ機器に対してサービスを共同で提供するようにターゲットプライマリ基地局およびターゲットセカンダリ基地局に指示するために特に使用される。
【０１９９】
たとえば、ターゲットセカンダリ基地局がユーザ機器の用途を満たすセカンダリ基地局として使用されると決定したときに、ターゲットプライマリ基地局は、セカンダリ基地局追加要求をターゲットセカンダリ基地局に送信する。セカンダリ基地局追加要求は、第1の指示を含み、第1の指示は、ターゲットセカンダリ基地局をユーザ機器の用途を満たすセカンダリ基地局として追加するように指示するために使用される。第1の指示は、また、ハンドオーバー手順においてまたはハンドオーバー手順に基づき、ターゲットセカンダリ基地局をユーザ機器の用途を満たすセカンダリ基地局として追加するように指示し得る。
【０２００】
本発明のこの実施形態において、ターゲットプライマリ基地局は、ソースプライマリ基地局によって送信された第3の指示を受信するものとしてよく、第3の指示は、ターゲットセカンダリ基地局をユーザ機器の用途を満たすセカンダリ基地局として追加するようにターゲットプライマリ基地局に指示するために使用される。
【０２０１】
したがって、この実施形態では、ターゲットセカンダリ基地局がプライマリ基地局から別のプライマリ基地局へのハンドオーバーのプロセスにおいてユーザ機器の用途を満たすセカンダリ基地局として追加されるように実装されてよく、デュアルコネクティビティ通信がハンドオーバーの前および後の両方で実施されるように実装され得る。さらに、ターゲットプライマリ基地局がハンドオーバーの完了後にユーザ機器に使用されるセカンダリ基地局を追加することは回避されるものとしてよく、ハンドオーバーによって引き起こされる遅延は、低減される。
【０２０２】
この実施形態において、ターゲットプライマリ基地局は、ターゲットセカンダリ基地局の構成情報を取得する。たとえば、ターゲットセカンダリ基地局によって送信され、ターゲットプライマリ基地局によって受信されるセカンダリ基地局追加確認応答は、ターゲットセカンダリ基地局の構成情報を含み、ターゲットセカンダリ基地局の構成情報は、ハンドオーバー確認応答メッセージに追加され、ハンドオーバー確認応答メッセージは、ソースプライマリ基地局に送信される。ターゲットセカンダリ基地局の構成情報は、ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含み得る。
【０２０３】
本発明のこの実施形態において、ターゲットプライマリ基地局は、ターゲットセカンダリ基地局によって送信された第1の伝送路情報を受信し、第1の伝送路情報は、ターゲットセカンダリ基地局によって割り振られ、ターゲットセカンダリ基地局とサービングゲートウェイとの間のデータ伝送に使用される。たとえば、ターゲットセカンダリ基地局によって送信され、ターゲットプライマリ基地局によって受信されるセカンダリ基地局追加確認応答は、第1の伝送路情報(すなわち、IPアドレスおよびGTPトンネル識別子)を含む。第1の伝送路情報は、セカンダリ基地局追加確認応答に含まれるようには限定されていない。
【０２０４】
本発明のこの実施形態において、ターゲットプライマリ基地局は、第2の伝送路情報をターゲットセカンダリ基地局に送信し、第2の伝送路情報は、サービングゲートウェイによって割り振られ、ターゲットセカンダリ基地局とサービングゲートウェイとの間のデータ伝送に使用される。たとえば、ターゲットセカンダリ基地局によって送信された第1の伝送路情報を受信した後、ターゲットプライマリ基地局は、第1の伝送路情報を保存し、第1の伝送路情報を経路切り替え要求に追加し、経路切り替え要求をMMEに送信する。ターゲットプライマリ基地局は、MMEによってフィードバックされた経路切り替え要求完了メッセージを受信し、経路切り替え要求完了メッセージは、第2の伝送路情報を含む。ターゲットプライマリ基地局は、第2の伝送路情報をターゲットセカンダリ基地局に送信し、それにより、ターゲットセカンダリ基地局は、第2の伝送路情報を使用することによってサービングゲートウェイによるデータ伝送を実行する。第2の伝送路情報は、また、デュアルコネクティビティ専用メッセージ(たとえば、ベアラ修正指示またはベアラ修正完了メッセージ)に含まれ得る。第2の伝送路情報を運ぶために使用されるメッセージは、本発明のこの実施形態に限定されない。
【０２０５】
本発明のこの実施形態において、ターゲットプライマリ基地局は、第2の指示をソースプライマリ基地局に送信し、第2の指示は、ターゲットプライマリ基地局がターゲットセカンダリ基地局をユーザ機器のセカンダリ基地局として追加することを指示するために使用される。ターゲットプライマリ基地局によってソースプライマリ基地局に送信されたハンドオーバー確認応答は、第2の指示を含み、第2の指示は、また、ハンドオーバー手順においてまたはハンドオーバー手順に基づき、ターゲットセカンダリ基地局をユーザ機器の用途を満たすセカンダリ基地局として追加するように指示し得る。ソースプライマリ基地局は、第2の指示に従って、ターゲットセカンダリ基地局をユーザ機器の用途を満たすセカンダリ基地局として追加する。
【０２０６】
たとえば、ソースプライマリ基地局が、第2の指示を受信したときに、ソースプライマリ基地局は、UEのコンテキストを解放することをソースセカンダリ基地局に要求するか、またはデータ転送情報をソースセカンダリ基地局に送信するか、またはすべてのベアラもしくは一部のベアラ上のデータが転送されることを必要とすることをソースセカンダリ基地局に通知する。第2の指示は、暗黙の指示でもあり得る。たとえば、ソースプライマリ基地局は、ターゲットセカンダリ基地局の構成情報を構文解析し、ソースセカンダリ基地局を解放することを決定し得る。
【０２０７】
プライマリ基地局から別のプライマリ基地局へのユーザ機器のハンドオーバーのプロセスにおいてユーザ機器のセカンダリ基地局がソースセカンダリ基地局からターゲットセカンダリ基地局に変化することは、ハンドオーバーベースのデュアルコネクティビティ通信を詳細に説明するために、以下において一例として使用されている。図7に示されているように、この実装方式は、ソースプライマリ基地局、ターゲット基地局、ターゲット基地局、およびソースセカンダリ基地局の間の相互作用を用いてもっぱら遂行され、次のステップを含む。
【０２０８】
701  ソースプライマリ基地局が、ハンドオーバー要求をターゲットプライマリ基地局に送信し、ハンドオーバー要求は、ソースセカンダリ基地局の構成情報を含む。
【０２０９】
ソースセカンダリ基地局の構成情報について、前述の説明への参照がなされるものとしてよく、詳細はここでさらに説明されない。
【０２１０】
702  ターゲットプライマリ基地局は、ターゲットセカンダリ基地局をユーザ機器のセカンダリ基地局として追加することを決定する。
【０２１１】
適宜、ターゲットプライマリ基地局は、ローカル構成情報および/またはソースセカンダリ基地局の第1の構成情報に従って、ターゲットセカンダリ基地局をユーザ機器のセカンダリ基地局として追加することを決定する。
【０２１２】
ローカル構成情報について、前述の説明への参照がなされるものとしてよく、詳細はここでさらに説明されない。
【０２１３】
適宜、ターゲットプライマリ基地局は、ソースプライマリ基地局によって送信された第3の指示を受信し、第3の指示は、ターゲットセカンダリ基地局をユーザ機器のセカンダリ基地局として追加するようにターゲットプライマリ基地局に指示するために使用される。たとえば、第3の指示は、ハンドオーバー要求に含まれる。
【０２１４】
703  ターゲットプライマリ基地局は、セカンダリ基地局追加要求をターゲットセカンダリ基地局に送信する。
【０２１５】
セカンダリ基地局追加要求は、第1の指示および第1の伝送路情報を含む。
【０２１６】
第1の指示および第1の伝送路情報について、前述の説明への参照がなされるものとしてよく、詳細はここでさらに説明されない。
【０２１７】
704  ターゲットセカンダリ基地局は、セカンダリ基地局追加プロセスを実行したときにターゲットセカンダリ基地局の構成情報を取得する。
【０２１８】
ターゲットセカンダリ基地局の構成情報について、前述の説明への参照がなされるものとしてよく、詳細はここでさらに説明されない。
【０２１９】
705  ターゲットセカンダリ基地局は、セカンダリ基地局追加確認応答をターゲットプライマリ基地局に送信する。
【０２２０】
適宜、追加確認応答は、ターゲットセカンダリ基地局の構成情報およびターゲットセカンダリ基地局の第1の伝送路情報を含み、第1の伝送路情報は、ターゲットセカンダリ基地局によって割り振られ、ターゲットセカンダリ基地局とサービングゲートウェイとの間のデータ伝送に使用される。
【０２２１】
706  ターゲットプライマリ基地局は、ハンドオーバー確認応答をソースプライマリ基地局に送信する。
【０２２２】
適宜、ハンドオーバー確認応答は、ターゲットセカンダリ基地局の構成情報、および第2の指示を含む。ターゲットセカンダリ基地局の構成情報、および第2の指示について、前述の説明への参照がなされるものとしてよく、詳細はここでさらに説明されない。
【０２２３】
707  ソースプライマリ基地局は、解放要求をソースセカンダリ基地局に送信する。
【０２２４】
解放要求は、UEのコンテキストを解放することをソースセカンダリ基地局に要求するか、またはデータ転送情報がソースセカンダリ基地局に送信されるべきであることをソースセカンダリ基地局に通知するか、またはすべてのベアラまたは一部のベアラ上のデータが転送される必要があることをソースセカンダリ基地局に通知するために使用される。第2の指示は、暗黙の指示でもあり得る。たとえば、ソースプライマリ基地局は、ターゲットセカンダリ基地局の構成情報を構文解析し、ソースセカンダリ基地局を解放することを決定し得る。
【０２２５】
708  ターゲットプライマリ基地局は、第2の伝送路情報をターゲットセカンダリ基地局に送信する。
【０２２６】
第2の伝送路情報について、前述の説明への参照がなされるものとしてよく、詳細はここでさらに説明されない。
【０２２７】
この実施形態において、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【０２２８】
実施形態3
実施形態1に対応して、図8に示されているように、本発明のこの実施形態はハンドオーバー装置を実現し、図8に示されている装置は、ターゲットプライマリ基地局であり得るか、またはターゲットプライマリ基地局が、図8に示されている装置を使用して、基地局から別の基地局へのハンドオーバーを実行する。図8に示されている装置は、
ソースプライマリ基地局によって送信されたハンドオーバー要求を受信するように構成されているトランシーバ801であって、ハンドオーバー要求は、ソースセカンダリ基地局の第1の構成情報を含み、ソースプライマリ基地局およびソースセカンダリ基地局は、ユーザ機器に対してサービスを共同で提供する、トランシーバ801と、
トランシーバ801が第1の指示をソースセカンダリ基地局に送信することをトリガーするように構成され、第1の指示は、ソースセカンダリ基地局に無変化のままであるように指示するために使用され、さらにトランシーバ801がハンドオーバー確認応答をソースプライマリ基地局に送信することをトリガーするように構成され、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、プロセッサ802とを備える。
【０２２９】
トランシーバ801は、第1の指示をソースセカンダリ基地局に送信し、ハンドオーバー確認応答をソースプライマリ基地局に送信するように構成されている。
【０２３０】
この実施形態において、第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【０２３１】
たとえば、ハンドオーバーの前後にソースセカンダリ基地局をユーザ機器のセカンダリ基地局として保持することを決定したときに、プロセッサ802は、トランシーバ801がセカンダリ基地局追加要求またはセカンダリ基地局修正要求をソースセカンダリ基地局に送信することをトリガーし得る。セカンダリ基地局追加要求およびセカンダリ基地局修正要求は、セカンダリ基地局が追加されるシナリオおよび実施形態1においてセカンダリ基地局が修正されるシナリオにそれぞれ対応しており、セカンダリ基地局が追加されるか、または修正される特定のシナリオについて、実施形態1における説明への参照がなされるものとしてよく、詳細はここでさらに説明されない。
【０２３２】
本発明のこの実施形態において、トランシーバ801は、ソースプライマリ基地局によって送信された第3の指示を受信するものとしてよく、第3の指示は、ソースセカンダリ基地局をユーザ機器のセカンダリ基地局として保持するようにターゲットプライマリ基地局に指示するために使用される。
【０２３３】
したがって、この実施形態では、セカンダリ基地局がプライマリ基地局から別のプライマリ基地局へのハンドオーバーのプロセスにおいて無変化のままであるように実装されてよく、デュアルコネクティビティ通信がハンドオーバーの前および後の両方で実施されるように実装され得る。さらに、ターゲットプライマリ基地局がハンドオーバーの完了後にユーザ機器に使用されるセカンダリ基地局を追加することは回避されるものとしてよく、ハンドオーバーによって引き起こされる遅延は、低減される。
【０２３４】
この実施形態において、トランシーバ801は、第1の構成情報に従って第2の構成情報を取得し得る。たとえば、トランシーバ801は、第1の構成情報に従ってソースセカンダリ基地局によって取得され、ソースセカンダリ基地局によって送信された第2の構成情報を受信し、第2の構成情報をハンドオーバー確認応答メッセージに追加し、ハンドオーバー確認応答メッセージをソースプライマリ基地局に送信し得る。第2の構成情報は、ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み得る。
【０２３５】
本発明のこの実施形態において、ソースセカンダリ基地局は、プライマリ基地局から別のプライマリ基地局へのハンドオーバーのプロセスにおいて無変化のままである。すなわち、ターゲットプライマリ基地局は、ソースプライマリ基地局からターゲットプライマリ基地局へのハンドオーバーのプロセスにおいてユーザ機器に対する同じセカンダリ基地局、すなわち、ソースセカンダリ基地局を追加することを決定する。2つの実装方式があり得る。
【０２３６】
第1の実装方式は、セカンダリ基地局追加手順を使用することによって実装されるものとしてよく、ターゲットプライマリ基地局は、トランシーバ801を使用することによってセカンダリ基地局追加要求をソースセカンダリ基地局に送信し、ユーザ機器のセカンダリ基地局のままであるようにソースセカンダリ基地局に指示する。
【０２３７】
第1の実装方式について、ソースプライマリ基地局が、トランシーバ801によって送信されたハンドオーバー確認応答メッセージを受信したときに、ソースプライマリ基地局は、ソースセカンダリ基地局がユーザ機器のコンテキストを解放し、ベアラをリザーブすることをトリガーし得る。
【０２３８】
第2の実装方式は、セカンダリ基地局修正手順を使用することによって実装されるものとしてよく、ターゲットプライマリ基地局は、トランシーバ801を使用することによってセカンダリ基地局修正要求をソースセカンダリ基地局に送信し、ユーザ機器のセカンダリ基地局のままであるようにソースセカンダリ基地局に指示する。
【０２３９】
第2の実装方式について、適宜、トランシーバ801は、ソースセカンダリ基地局に、ソースセカンダリ基地局によって割り振られたユーザ機器識別情報を送信し、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される。
【０２４０】
第2の実装方式について、適宜、トランシーバ801は、ソースセカンダリ基地局またはソースプライマリ基地局によって送信された伝送路情報を受信し、伝送路情報は、ターゲットプライマリ基地局によって、ソースセカンダリ基地局とサービングゲートウェイとの間の伝送路の切り替えを完了するために使用される。
【０２４１】
第2の実装方式について、適宜、トランシーバ801は、第2の指示をソースプライマリ基地局に送信し、第2の指示は、ソースセカンダリ基地局をユーザ機器のセカンダリ基地局として保持するようにソースプライマリ基地局に指示するために使用される。
【０２４２】
ハンドオーバー確認応答メッセージは、第2の指示を含むものとしてよく、第2の指示は、ソースセカンダリ基地局をユーザ機器のセカンダリ基地局として保持するようにソースプライマリ基地局に指示するために使用される。ソースプライマリ基地局は、第2の指示に従って、ソースセカンダリ基地局をユーザ機器のセカンダリ基地局として保持する。
【０２４３】
たとえば、ソースプライマリ基地局が、第2の指示を受信したときに、ソースプライマリ基地局は、UEのコンテキストを解放することをソースセカンダリ基地局に要求しないか、またはデータ転送情報をソースセカンダリ基地局に送信しないか、またはすべてのベアラもしくは一部のベアラ上のデータが転送されることを必要としないことをソースセカンダリ基地局に通知する。第2の指示は、暗黙の指示でもあり得る。たとえば、ソースプライマリ基地局は、第2の構成情報を構文解析し、ソースセカンダリ基地局が解放されるべきか、またはリザーブされ続けるべきかを決定することができる。
【０２４４】
この実施形態において、ソースセカンダリ基地局は、第2の構成情報をユーザ機器に送信し得る。ユーザ機器が、元のセカンダリ基地局のベアラを無変化のままに保持する場合、ユーザ機器は、第2の構成情報に従って、搭載されているMACエンティティをリセットすることも、搭載されているRLCエンティティを再確立することもし得ず、ユーザ機器は、新しいセキュリティパラメータに従って搭載されているPDCPエンティティを再構成する(たとえば、新しいSKeNBが、新しいKeNBに従って導出され、次いで、ソースセカンダリ基地局におけるデータ伝送用の暗号鍵が導出される)。ベアラが変わっていないときに、ユーザ機器とソースセカンダリ基地局との間のDRBは、無変化のままであり、元の構成、すなわち、MACおよび/またはRLCが使用され得ることは理解され得る。
【０２４５】
図8に示されている装置を使用することによって、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【０２４６】
実施形態1に対応して、図9に示されているように、本発明のこの実施形態はハンドオーバー装置を実現し、図9に示されている装置は、ソースプライマリ基地局であり得るか、またはソースプライマリ基地局が、図9に示されている装置を使用して、基地局から別の基地局へのハンドオーバーを実行する。図9に示されている装置は、
トランシーバ902がハンドオーバー要求をターゲットプライマリ基地局に送信することをトリガーするように構成されているプロセッサ901であって、ハンドオーバー要求は、ソースセカンダリ基地局の第1の構成情報を含み、ソースプライマリ基地局およびソースセカンダリ基地局は、ユーザ機器に対してサービスを共同で提供する、プロセッサ901と、
ハンドオーバー要求をターゲットプライマリ基地局に送信し、ターゲットプライマリ基地局によって送信されたハンドオーバー確認応答を受信するようにさらに構成されている、トランシーバ902であって、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、トランシーバ902とを備える。
【０２４７】
ソースセカンダリ基地局の第2の構成情報は、ターゲットプライマリ基地局によってソースセカンダリ基地局に送信された第1の指示に基づいており、第1の指示は、ソースセカンダリ基地局に無変化のままであるように指示するために使用される。
【０２４８】
本発明のこの実施形態では、第1の構成情報および第2の構成情報について、前述の説明への参照がなされるものとしてよく、詳細はここでさらに説明されない。
【０２４９】
本発明のこの実施形態において、第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【０２５０】
本発明のこの実施形態では、適宜、プロセッサ901は、トランシーバ902がターゲットプライマリ基地局に、ソースセカンダリ基地局によって割り振られたユーザ識別情報を送信し、それにより、ターゲットプライマリ基地局は、ソースセカンダリ基地局に、ソースセカンダリ基地局によって割り振られたユーザ機器識別情報を送信することをトリガーするようにさらに構成され、ソースセカンダリ基地局によって割り振られたユーザ機器識別情報は、ユーザ機器を識別するためにソースセカンダリ基地局によって使用され、トランシーバ902は、ターゲットプライマリ基地局に、ソースセカンダリ基地局によって割り振られたユーザ識別情報を送信するようにさらに構成される。
【０２５１】
本発明のこの実施形態では、セカンダリ基地局が修正されるシナリオに基づき、適宜、プロセッサ901は、トランシーバ902が伝送路情報をターゲットプライマリ基地局に送信することをトリガーするようにさらに構成され、伝送路情報は、ターゲットプライマリ基地局によって、ソースセカンダリ基地局とサービングゲートウェイとの間の伝送路の切り替えを完了するために使用され、トランシーバ902は、伝送路情報をターゲットプライマリ基地局に送信するようにさらに構成される。
【０２５２】
本発明のこの実施形態において、適宜、トランシーバ902は、ターゲットプライマリ基地局によって送信された第2の指示を受信するようにさらに構成され、第2の指示は、ソースセカンダリ基地局をユーザ機器のセカンダリ基地局として保持するようにソースプライマリ基地局に指示するために使用され、プロセッサ901は、トランシーバ90によって受信された第2の指示に従って、ソースセカンダリ基地局をユーザ機器のセカンダリ基地局として保持するようにさらに構成される。
【０２５３】
本発明のこの実施形態では、セカンダリ基地局が追加されるシナリオに基づき、適宜、プロセッサ901は、トランシーバ902によって受信されたハンドオーバー確認応答に従って、ソースセカンダリ基地局がユーザ機器のベアラまたはユーザ機器のコンテキストを解放することをトリガーするようにさらに構成される。
【０２５４】
本発明のこの実施形態では、適宜、プロセッサ901は、トランシーバ902が第3の指示をターゲットプライマリ基地局に送信することをトリガーするようにさらに構成され、第3の指示は、ソースセカンダリ基地局をユーザ機器のセカンダリ基地局として保持するようにターゲットプライマリ基地局に指示するために使用され、トランシーバ902は、第3の指示をターゲットプライマリ基地局に送信するようにさらに構成される。
【０２５５】
図9に示されている装置を使用することによって、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【０２５６】
実施形態1に対応して、図10に示されているように、本発明のこの実施形態はハンドオーバー装置を実現し、図10に示されている装置は、ソースセカンダリ基地局であり得るか、またはソースセカンダリ基地局が、図10に示されている装置を使用して、基地局から別の基地局へのハンドオーバーを実行する。図10に示されている装置は、
ターゲットプライマリ基地局によって送信された第1の指示を受信するように構成されているトランシーバ1001であって、第1の指示は、ソースセカンダリ基地局に無変化のままであるように指示するために使用される、トランシーバ1001を備える。
【０２５７】
第1の指示は、ソースプライマリ基地局によって送信され、ターゲットプライマリ基地局によって受信されるハンドオーバー要求に基づいており、ハンドオーバー要求は、ソースセカンダリ基地局の第1の構成情報を含み、ソースプライマリ基地局およびソースセカンダリ基地局は、ユーザ機器に対してサービスを共同で提供し、
ハンドオーバー要求は、ハンドオーバー確認応答をソースプライマリ基地局に送信するためにターゲットプライマリ基地局によって使用され、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される。
【０２５８】
本発明のこの実施形態では、第1の構成情報および第2の構成情報について、前述の説明への参照がなされるものとしてよく、詳細はここでさらに説明されない。
【０２５９】
本発明のこの実施形態において、第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【０２６０】
本発明のこの実施形態では、適宜、トランシーバ1001は、ソースセカンダリ基地局によって割り振られ、ターゲットプライマリ基地局によって送信されたユーザ機器識別情報を受信するようにさらに構成され、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される。
【０２６１】
本発明のこの実施形態では、セカンダリ基地局が修正されるシナリオに基づき、適宜、図10に示されている装置は、
トランシーバ1001が伝送路情報をターゲットプライマリ基地局に送信することをトリガーするように構成されているプロセッサ1002であって、伝送路情報は、ターゲットプライマリ基地局によって、ソースセカンダリ基地局とサービングゲートウェイとの間の伝送路の切り替えを完了するために使用される。
【０２６２】
トランシーバ1001は、伝送路情報をターゲットプライマリ基地局に送信するようにさらに構成される。
【０２６３】
図10に示されている装置を使用することによって、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【０２６４】
実施形態4
実施形態2に対応して、図11に示されているように、本発明のこの実施形態はハンドオーバー装置を実現し、図11に示されている装置は、ターゲットプライマリ基地局であり得るか、またはターゲットプライマリ基地局が、図11に示されている装置を使用して、基地局から別の基地局へのハンドオーバーを実行する。図11に示されている装置は、
ソースプライマリ基地局によって送信されたハンドオーバー要求を受信するように構成されているトランシーバ1101であって、ハンドオーバー要求は、ソースセカンダリ基地局の構成情報を含み、ソースプライマリ基地局およびソースセカンダリ基地局は、ユーザ機器に対してサービスを共同で提供する、トランシーバ1101と、
トランシーバ1101が第1の指示をターゲットセカンダリ基地局に送信することをトリガーするように構成され、第1の指示は、ユーザ機器のセカンダリ基地局としての機能を果たすようにターゲットセカンダリ基地局に指示するために使用され、さらにトランシーバ1101がハンドオーバー確認応答をソースプライマリ基地局に送信することをトリガーするように構成され、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、プロセッサ1102とを備える。
【０２６５】
トランシーバ1101は、第1の指示をターゲットセカンダリ基地局に送信し、ハンドオーバー確認応答をソースプライマリ基地局に送信するようにさらに構成される。
【０２６６】
この実施形態において、ソースセカンダリ基地局の構成情報は、ソースセカンダリ基地局のセカンダリセルグループの構成情報であってよい。たとえば、ソースセカンダリ基地局の構成情報は、ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み得る。セル測定情報は、RSRPの測定結果であってよく、ベアラ構成情報は、ベアラタイプ(たとえば、SCGベアラもしくはSplitベアラ)、またはベアラのQoSパラメータであってよい。プロセッサ1102は、ソースセカンダリ基地局の構成情報および/またはターゲットプライマリ基地局のローカル構成情報に従って、ユーザ機器のセカンダリ基地局をターゲットセカンダリ基地局に変えるかどうかを決定し得る。たとえば、ターゲットプライマリ基地局のローカル構成情報は、ターゲットプライマリ基地局がデュアルコネクティビティ機能をサポートするかどうか、ターゲットプライマリ基地局がソースセカンダリ基地局を無変化に保持する機能をサポートするかどうか、またはターゲットプライマリ基地局の負荷状況のうちの少なくとも1つであってよい。
【０２６７】
この実施形態において、第1の指示は、ユーザ機器の用途を満たすセカンダリ基地局としての機能を果たすようにターゲットセカンダリ基地局に指示し、ユーザ機器の用途を満たすプライマリ基地局をソースプライマリ基地局からターゲットプライマリ基地局に変更するように指示し、ユーザ機器に対してサービスを共同で提供するようにターゲットプライマリ基地局およびターゲットセカンダリ基地局に指示するために特に使用される。
【０２６８】
たとえば、ターゲットセカンダリ基地局がユーザ機器の用途を満たすセカンダリ基地局として使用されると決定したときに、トランシーバ1101は、セカンダリ基地局追加要求をターゲットセカンダリ基地局に送信する。セカンダリ基地局追加要求は、第1の指示を含み、第1の指示は、ターゲットセカンダリ基地局をユーザ機器の用途を満たすセカンダリ基地局として追加するように指示するために使用される。第1の指示は、また、ハンドオーバー手順においてまたはハンドオーバー手順に基づき、ターゲットセカンダリ基地局をユーザ機器の用途を満たすセカンダリ基地局として追加するように指示し得る。
【０２６９】
本発明のこの実施形態では、トランシーバ1101は、ソースプライマリ基地局によって送信された第3の指示を受信するものとしてよく、第3の指示は、ターゲットセカンダリ基地局をユーザ機器の用途を満たすセカンダリ基地局として追加するようにターゲットプライマリ基地局に指示するために使用される。
【０２７０】
したがって、この実施形態では、ターゲットセカンダリ基地局がプライマリ基地局から別のプライマリ基地局へのハンドオーバーのプロセスにおいてユーザ機器の用途を満たすセカンダリ基地局として追加されるように実装されてよく、デュアルコネクティビティ通信がハンドオーバーの前および後の両方で実施されるように実装され得る。さらに、ターゲットプライマリ基地局がハンドオーバーの完了後にユーザ機器に使用されるセカンダリ基地局を追加することは回避されるものとしてよく、ハンドオーバーによって引き起こされる遅延は、低減される。
【０２７１】
この実施形態において、ターゲットプライマリ基地局は、ターゲットセカンダリ基地局の構成情報を取得する。たとえば、ターゲットセカンダリ基地局によって送信され、トランシーバ1101によって受信されるセカンダリ基地局追加確認応答は、ターゲットセカンダリ基地局の構成情報を含み、ターゲットセカンダリ基地局の構成情報は、ハンドオーバー確認応答メッセージに追加され、ハンドオーバー確認応答メッセージは、ソースプライマリ基地局に送信される。ターゲットセカンダリ基地局の構成情報は、ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含み得る。
【０２７２】
本発明のこの実施形態において、トランシーバ1101は、ターゲットセカンダリ基地局によって送信された第1の伝送路情報を受信し、第1の伝送路情報は、ターゲットセカンダリ基地局によって割り振られ、ターゲットセカンダリ基地局とサービングゲートウェイとの間のデータ伝送に使用される。たとえば、ターゲットセカンダリ基地局によって送信され、トランシーバ1101によって受信されるセカンダリ基地局追加確認応答は、第1の伝送路情報(すなわち、IPアドレスおよびGTPトンネル識別子)を含む。第1の伝送路情報は、セカンダリ基地局追加確認応答に含まれるようには限定されていない。
【０２７３】
本発明のこの実施形態において、トランシーバ1101は、第2の伝送路情報をターゲットセカンダリ基地局に送信し、第2の伝送路情報は、サービングゲートウェイによって割り振られ、ターゲットセカンダリ基地局とサービングゲートウェイとの間のデータ伝送に使用される。たとえば、ターゲットセカンダリ基地局によって送信された第1の伝送路情報を受信した後、トランシーバ1101は、第1の伝送路情報を経路切り替え要求に追加し、経路切り替え要求をMMEに送信する。トランシーバ1101は、MMEによってフィードバックされた経路切り替え要求完了メッセージを受信し、経路切り替え要求完了メッセージは、第2の伝送路情報を含む。トランシーバ1101は、第2の伝送路情報をターゲットセカンダリ基地局に送信し、それにより、ターゲットセカンダリ基地局は、第2の伝送路情報を使用することによってサービングゲートウェイによるデータ伝送を実行する。第2の伝送路情報は、また、デュアルコネクティビティ専用メッセージ(たとえば、ベアラ修正指示またはベアラ修正完了メッセージ)に含まれ得る。第2の伝送路情報を運ぶために使用されるメッセージは、本発明のこの実施形態に限定されない。
【０２７４】
本発明のこの実施形態において、トランシーバ1101は、第2の指示をソースプライマリ基地局に送信し、第2の指示は、ターゲットプライマリ基地局がターゲットセカンダリ基地局をユーザ機器のセカンダリ基地局として追加することを指示するために使用される。トランシーバ1101によってソースプライマリ基地局に送信されたハンドオーバー確認応答は、第2の指示を含み、第2の指示は、また、ハンドオーバー手順においてまたはハンドオーバー手順に基づき、ターゲットセカンダリ基地局をユーザ機器の用途を満たすセカンダリ基地局として追加するように指示し得る。ソースプライマリ基地局は、第2の指示に従って、ターゲットセカンダリ基地局をユーザ機器の用途を満たすセカンダリ基地局として追加する。
【０２７５】
たとえば、ソースプライマリ基地局が、第2の指示を受信したときに、ソースプライマリ基地局は、UEのコンテキストを解放することをソースセカンダリ基地局に要求するか、またはデータ転送情報をソースセカンダリ基地局に送信するか、またはすべてのベアラもしくは一部のベアラ上のデータが転送されることを必要とすることをソースセカンダリ基地局に通知する。第2の指示は、暗黙の指示でもあり得る。たとえば、ソースプライマリ基地局は、ターゲットセカンダリ基地局の構成情報を構文解析し、ソースセカンダリ基地局を解放することを決定し得る。
【０２７６】
図11に示されている装置を使用することによって、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【０２７７】
実施形態2に対応して、図12に示されているように、本発明のこの実施形態はハンドオーバー装置を実現し、図12に示されている装置は、ソースプライマリ基地局であり得るか、またはソースプライマリ基地局が、図12に示されている装置を使用して、基地局から別の基地局へのハンドオーバーを実行する。図12に示されている装置は、
トランシーバ1202がハンドオーバー要求をターゲットプライマリ基地局に送信することをトリガーするように構成されているプロセッサ1201であって、ハンドオーバー要求は、ソースセカンダリ基地局の構成情報を含み、ソースプライマリ基地局およびソースセカンダリ基地局は、ユーザ機器に対してサービスを共同で提供する、トランシーバ1201と、
ハンドオーバー要求をターゲットプライマリ基地局に送信し、ターゲットプライマリ基地局によって送信されたハンドオーバー確認応答を受信するように構成されている、トランシーバ1202であって、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、トランシーバ1202とを備える。
【０２７８】
ハンドオーバー確認応答は、ターゲットプライマリ基地局によってターゲットセカンダリ基地局に送信された第1の指示に基づいており、第1の指示は、ユーザ機器のセカンダリ基地局としての機能を果たすようにターゲットセカンダリ基地局に指示するために使用される。
【０２７９】
本発明のこの実施形態では、ソースセカンダリ基地局の構成情報、およびターゲットセカンダリ基地局の構成情報について、前述の説明への参照がなされるものとしてよく、詳細はここでさらに説明されない。
【０２８０】
本発明のこの実施形態において、トランシーバ1202は、ターゲットプライマリ基地局によって送信された第2の指示を受信するようにさらに構成され、第2の指示は、ターゲットプライマリ基地局がターゲットセカンダリ基地局をユーザ機器のセカンダリ基地局として追加することを指示するために使用される。
【０２８１】
本発明のこの実施形態では、プロセッサ1201は、トランシーバ1202によって受信された第2の指示に従ってユーザ機器のベアラまたはユーザ機器のコンテキストを解放するようにさらに構成される。
【０２８２】
図12に示されている装置を使用することによって、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【０２８３】
実施形態2に対応して、図13に示されているように、本発明のこの実施形態はハンドオーバー装置を実現し、図13に示されている装置は、ターゲットセカンダリ基地局であり得るか、またはターゲットセカンダリ基地局が、図13に示されている装置を使用して、基地局から別の基地局へのハンドオーバーを実行する。図13に示されている装置は、
ターゲットプライマリ基地局によって送信された第1の指示を受信するように構成されているトランシーバ1301であって、第1の指示は、ユーザ機器のセカンダリ基地局としての機能を果たすようにターゲットセカンダリ基地局に指示するために使用される、トランシーバ1301を備える。
【０２８４】
第1の指示は、ソースプライマリ基地局によって送信され、ターゲットプライマリ基地局によって受信されるハンドオーバー要求に基づいており、ハンドオーバー要求は、ソースセカンダリ基地局の構成情報を含み、ソースプライマリ基地局およびソースセカンダリ基地局は、ユーザ機器に対して一緒にサービスを提供し、
ハンドオーバー要求は、ハンドオーバー確認応答をソースプライマリ基地局に送信するためにターゲットプライマリ基地局によって使用され、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される。
【０２８５】
本発明のこの実施形態では、ソースセカンダリ基地局の構成情報、およびターゲットセカンダリ基地局の構成情報について、前述の説明への参照がなされるものとしてよく、詳細はここでさらに説明されない。
【０２８６】
本発明のこの実施形態において、図13に示されている装置は、
トランシーバ1301が第1の伝送路情報をターゲットプライマリ基地局に送信することをトリガーするように構成されているプロセッサ1302であって、第1の伝送路情報は、ターゲットセカンダリ基地局によって割り振られ、ターゲットセカンダリ基地局とサービングゲートウェイとの間のデータ伝送に使用される、プロセッサ1302をさらに備える。
【０２８７】
トランシーバ1301は、第1の伝送路情報をターゲットプライマリ基地局に送信し、ターゲットプライマリ基地局によって送信された第2の伝送路情報を受信するようにさらに構成され、第2の伝送路情報は、サービングゲートウェイによって割り振られ、ターゲットセカンダリ基地局とサービングゲートウェイとの間のデータ伝送に使用される。
【０２８８】
本発明のこの実施形態では、第1の指示は、ターゲットプライマリ基地局によって、第2の指示をソースセカンダリ基地局に送信するために使用され、第2の指示は、ターゲットプライマリ基地局がターゲットセカンダリ基地局をユーザ機器のセカンダリ基地局として追加することを指示するために使用される。
【０２８９】
図13に示されている装置を使用することによって、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【０２９０】
実施形態5
実施形態1に対応して、図14に示されているように、本発明のこの実施形態はハンドオーバー装置を実現し、図14に示されている装置は、ターゲットプライマリ基地局であり得るか、またはターゲットプライマリ基地局が、図14に示されている装置を使用して、基地局から別の基地局へのハンドオーバーを実行する。図14に示されている装置は、
ソースプライマリ基地局によって送信されたハンドオーバー要求を受信するように構成されている受信ユニット1401であって、ハンドオーバー要求は、ソースセカンダリ基地局の第1の構成情報を含み、ソースプライマリ基地局およびソースセカンダリ基地局は、ユーザ機器に対してサービスを共同で提供する、受信ユニット1401と、
第1の指示をソースセカンダリ基地局に送信するように構成され、第1の指示は、ソースセカンダリ基地局に無変化のままであるように指示するために使用され、さらにハンドオーバー確認応答をソースプライマリ基地局に送信するように構成され、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、送信ユニット1402とを備える。
【０２９１】
この実施形態において、第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【０２９２】
たとえば、ハンドオーバーの前後にソースセカンダリ基地局をユーザ機器のセカンダリ基地局として保持することを決定したときに、送信ユニット1402は、セカンダリ基地局追加要求またはセカンダリ基地局修正要求をソースセカンダリ基地局に送信し得る。セカンダリ基地局追加要求およびセカンダリ基地局修正要求は、セカンダリ基地局が追加されるシナリオおよび実施形態1においてセカンダリ基地局が修正されるシナリオにそれぞれ対応しており、セカンダリ基地局が追加されるか、または修正される特定のシナリオについて、実施形態1における説明への参照がなされるものとしてよく、詳細はここでさらに説明されない。
【０２９３】
本発明のこの実施形態において、受信ユニット1401は、ソースプライマリ基地局によって送信された第3の指示を受信するものとしてよく、第3の指示は、ソースセカンダリ基地局をユーザ機器のセカンダリ基地局として保持するようにターゲットプライマリ基地局に指示するために使用される。
【０２９４】
したがって、この実施形態では、セカンダリ基地局がプライマリ基地局から別のプライマリ基地局へのハンドオーバーのプロセスにおいて無変化のままであるように実装されてよく、デュアルコネクティビティ通信がハンドオーバーの前および後の両方で実施されるように実装され得る。さらに、ターゲットプライマリ基地局がハンドオーバーの完了後にユーザ機器に使用されるセカンダリ基地局を追加することは回避されるものとしてよく、ハンドオーバーによって引き起こされる遅延は、低減される。
【０２９５】
この実施形態において、第2の構成情報は、第1の構成情報に従って取得され得る。たとえば、受信ユニット1401は、第1の構成情報に従って取得され、ソースセカンダリ基地局によって送信された第2の構成情報を受信し、第2の構成情報をハンドオーバー確認応答メッセージに追加するものとしてよく、次いで、ハンドオーバー確認応答メッセージは、ソースプライマリ基地局に送信される。第2の構成情報は、ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み得る。
【０２９６】
本発明のこの実施形態において、ソースセカンダリ基地局は、プライマリ基地局から別のプライマリ基地局へのハンドオーバーのプロセスにおいて無変化のままである。すなわち、ターゲットプライマリ基地局は、ソースプライマリ基地局からターゲットプライマリ基地局へのハンドオーバーのプロセスにおいてユーザ機器に対する同じセカンダリ基地局、すなわち、ソースセカンダリ基地局を追加することを決定する。2つの実装方式があり得る。
【０２９７】
第1の実装方式は、セカンダリ基地局追加手順を使用することによって実装されるものとしてよく、ターゲットプライマリ基地局は、送信ユニット1402を使用することによってセカンダリ基地局追加要求をソースセカンダリ基地局に送信し、ユーザ機器のセカンダリ基地局のままであるようにソースセカンダリ基地局に指示する。
【０２９８】
第1の実装方式について、ソースプライマリ基地局が、送信ユニット1402によって送信されたハンドオーバー確認応答メッセージを受信したときに、ソースプライマリ基地局は、ソースセカンダリ基地局がソースプライマリ基地局によってソースセカンダリ基地局に割り振られたユーザ機器のコンテキストを解放し、ベアラをリザーブすることをトリガーし得る。
【０２９９】
第2の実装方式は、セカンダリ基地局修正手順を使用することによって実装されるものとしてよく、ターゲットプライマリ基地局は、送信ユニット1402を使用することによってセカンダリ基地局修正要求をソースセカンダリ基地局に送信し、ユーザ機器のセカンダリ基地局のままであるようにソースセカンダリ基地局に指示する。
【０３００】
第2の実装方式について、適宜、送信ユニット1402は、ソースセカンダリ基地局に、ソースセカンダリ基地局によって割り振られたユーザ機器識別情報を送信し、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される。
【０３０１】
第2の実装方式について、適宜、受信ユニット1401は、ソースセカンダリ基地局またはソースプライマリ基地局によって送信された伝送路情報を受信し、伝送路情報は、ターゲットプライマリ基地局によって、ソースセカンダリ基地局とサービングゲートウェイとの間の伝送路の切り替えを完了するために使用される。
【０３０２】
第2の実装方式について、適宜、送信ユニット1402は、第2の指示をソースプライマリ基地局に送信し、第2の指示は、ソースセカンダリ基地局をユーザ機器のセカンダリ基地局として保持するようにソースプライマリ基地局に指示するために使用される。
【０３０３】
ハンドオーバー確認応答メッセージは、第2の指示を含むものとしてよく、第2の指示は、ソースセカンダリ基地局をユーザ機器のセカンダリ基地局として保持するようにソースプライマリ基地局に指示するために使用される。ソースプライマリ基地局は、第2の指示に従って、ソースセカンダリ基地局をユーザ機器のセカンダリ基地局として保持する。
【０３０４】
たとえば、ソースプライマリ基地局が、第2の指示を受信したときに、ソースプライマリ基地局は、UEのコンテキストを解放することをソースセカンダリ基地局に要求しないか、またはデータ転送情報をソースセカンダリ基地局に送信しないか、またはすべてのベアラもしくは一部のベアラ上のデータが転送されることを必要としないことをソースセカンダリ基地局に通知する。第2の指示は、暗黙の指示でもあり得る。たとえば、ソースプライマリ基地局は、第2の構成情報を構文解析し、ソースセカンダリ基地局が解放されるべきか、またはリザーブされ続けるべきかを決定することができる。
【０３０５】
この実施形態において、ソースセカンダリ基地局は、第2の構成情報をユーザ機器に送信し得る。ユーザ機器が、元のセカンダリ基地局のベアラを無変化のままに保持する場合、ユーザ機器は、第2の構成情報に従って、搭載されているMACエンティティをリセットすることも、搭載されているRLCエンティティを再確立することもし得ず、ユーザ機器は、新しいセキュリティパラメータに従って搭載されているPDCPエンティティを再構成する(たとえば、新しいSKeNBが、新しいKeNBに従って導出され、次いで、ソースセカンダリ基地局におけるデータ伝送用の暗号鍵が導出される)。ベアラが変わっていないときに、ユーザ機器とソースセカンダリ基地局との間のDRBは、無変化のままであり、元の構成、すなわち、MACおよび/またはRLCが使用され得ることは理解され得る。
【０３０６】
図14に示されている装置を使用することによって、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【０３０７】
実施形態1に対応して、図15に示されているように、本発明のこの実施形態はハンドオーバー装置を実現し、図15に示されている装置は、ソースプライマリ基地局であり得るか、またはソースプライマリ基地局が、図15に示されている装置を使用して、基地局から別の基地局へのハンドオーバーを実行する。図15に示されている装置は、
ハンドオーバー要求をターゲットプライマリ基地局に送信するように構成されている送信ユニット1501であって、ハンドオーバー要求は、ソースセカンダリ基地局の第1の構成情報を含み、ソースプライマリ基地局およびソースセカンダリ基地局は、ユーザ機器に対してサービスを共同で提供する、送信ユニット1501と、
ターゲットプライマリ基地局によって送信されたハンドオーバー確認応答を受信するように構成されている受信ユニット1502であって、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される、受信ユニット1502とを備える。
【０３０８】
ソースセカンダリ基地局の第2の構成情報は、ターゲットプライマリ基地局によってソースセカンダリ基地局に送信された第1の指示に基づいており、第1の指示は、ソースセカンダリ基地局に無変化のままであるように指示するために使用される。
【０３０９】
本発明のこの実施形態では、第1の構成情報および第2の構成情報について、前述の説明への参照がなされるものとしてよく、詳細はここでさらに説明されない。
【０３１０】
本発明のこの実施形態において、第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【０３１１】
本発明のこの実施形態では、適宜、送信ユニット1501は、ターゲットプライマリ基地局に、ソースセカンダリ基地局によって割り振られたユーザ識別情報を送信し、それにより、ターゲットプライマリ基地局は、ソースセカンダリ基地局に、ソースセカンダリ基地局によって割り振られたユーザ機器識別情報を送信するようにさらに構成され、ソースセカンダリ基地局によって割り振られたユーザ機器識別情報は、ユーザ機器を識別するためにソースセカンダリ基地局によって使用される。
【０３１２】
本発明のこの実施形態では、セカンダリ基地局が修正されるシナリオに基づき、適宜、送信ユニット1501は、伝送路情報をターゲットプライマリ基地局に送信するようにさらに構成され、伝送路情報は、ターゲットプライマリ基地局によって、ソースセカンダリ基地局とサービングゲートウェイとの間の伝送路の切り替えを完了するために使用される。
【０３１３】
本発明のこの実施形態において、適宜、受信ユニット1502は、ターゲットプライマリ基地局によって送信された第2の指示を受信するようにさらに構成され、第2の指示は、ソースセカンダリ基地局をユーザ機器のセカンダリ基地局として保持するようにソースプライマリ基地局に指示するために使用される。
【０３１４】
図15に示されている装置は、受信ユニット1502によって受信された第2の指示に従って、ソースセカンダリ基地局をユーザ機器のセカンダリ基地局として保持するように構成されている処理ユニット1503をさらに備える。
【０３１５】
本発明のこの実施形態では、セカンダリ基地局が追加されるシナリオに基づき、適宜、処理ユニット1503は、受信ユニット1502によって受信されたハンドオーバー確認応答に従って、ソースセカンダリ基地局がユーザ機器のベアラまたはユーザ機器のコンテキストを解放することをトリガーするようにさらに構成される。
【０３１６】
本発明のこの実施形態では、適宜、送信ユニット1501は、第3の指示をターゲットプライマリ基地局に送信するようにさらに構成され、第3の指示は、ソースセカンダリ基地局をユーザ機器の用途を満たすセカンダリ基地局として保持するようにターゲットプライマリ基地局に指示するために使用される。
【０３１７】
図15に示されている装置を使用することによって、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【０３１８】
実施形態1に対応して、図16に示されているように、本発明のこの実施形態はハンドオーバー装置を実現し、図16に示されている装置は、ソースセカンダリ基地局であり得るか、またはソースセカンダリ基地局が、図16に示されている装置を使用して、基地局から別の基地局へのハンドオーバーを実行する。図16に示されている装置は、
ターゲットプライマリ基地局によって送信された第1の指示を受信するように構成されている受信ユニット1601であって、第1の指示は、ソースセカンダリ基地局に無変化のままであるように指示するために使用される、受信ユニット1601を備える。
【０３１９】
第1の指示は、ソースプライマリ基地局によって送信され、ターゲットプライマリ基地局によって受信されるハンドオーバー要求に基づいており、ハンドオーバー要求は、ソースセカンダリ基地局の第1の構成情報を含み、ソースプライマリ基地局およびソースセカンダリ基地局は、ユーザ機器に対してサービスを共同で提供し、
ハンドオーバー要求は、ハンドオーバー確認応答をソースプライマリ基地局に送信するためにターゲットプライマリ基地局によって使用され、ハンドオーバー確認応答は、ソースセカンダリ基地局の第2の構成情報を含み、第2の構成情報は、ターゲットプライマリ基地局およびソースセカンダリ基地局によってユーザ機器に対してサービスを共同で提供するために使用される。
【０３２０】
本発明のこの実施形態では、第1の構成情報および第2の構成情報について、前述の説明への参照がなされるものとしてよく、詳細はここでさらに説明されない。
【０３２１】
本発明のこの実施形態において、第1の指示は、ユーザ機器の用途を満たすセカンダリ基地局のままであるようにソースセカンダリ基地局に指示し、ユーザ機器の用途を満たすプライマリ基地局をソースプライマリ基地局からターゲットプライマリ基地局に変更するように指示するために特に使用される。
【０３２２】
本発明のこの実施形態では、適宜、受信ユニット1601は、ソースセカンダリ基地局によって割り振られ、ターゲットプライマリ基地局によって送信されたユーザ機器識別情報を受信するようにさらに構成され、ソースセカンダリ基地局によって割り振られたユーザ機器識別情報は、ユーザ機器を識別するためにソースセカンダリ基地局によって使用され、ソースプライマリ基地局によってターゲットプライマリ基地局に送信される。
【０３２３】
本発明のこの実施形態では、セカンダリ基地局が修正されるシナリオに基づき、適宜、図16に示されている装置は、
伝送路情報をターゲットプライマリ基地局に送信するように構成されている送信ユニット1602であって、伝送路情報は、ターゲットプライマリ基地局によって、ソースセカンダリ基地局とサービングゲートウェイとの間の伝送路の切り替えを完了するために使用される、送信ユニット1602をさらに備える。
【０３２４】
図16に示されている装置を使用することによって、ソースセカンダリ基地局は、ユーザ機器のプライマリ基地局がソースプライマリ基地局からターゲットプライマリ基地局に変化するプロセスにおいて無変化のままであるように実装される。ソースセカンダリ基地局は、ハンドオーバープロセスにおいて解放されないので、ソースセカンダリ基地局がハンドオーバープロセスにおいて解放され、ソースセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とソースセカンダリ基地局との間のデータ通信の中断問題が回避される。
【０３２５】
実施形態6
実施形態2に対応して、図17に示されているように、本発明のこの実施形態はハンドオーバー装置を実現し、図17に示されている装置は、ターゲットプライマリ基地局であり得るか、またはターゲットプライマリ基地局が、図17に示されている装置を使用して、基地局から別の基地局へのハンドオーバーを実行する。図17に示されている装置は、
ソースプライマリ基地局によって送信されたハンドオーバー要求を受信するように構成されている受信ユニット1701であって、ハンドオーバー要求は、ソースセカンダリ基地局の構成情報を含み、ソースプライマリ基地局およびソースセカンダリ基地局は、ユーザ機器に対してサービスを共同で提供する、受信ユニット1701と、
第1の指示をターゲットセカンダリ基地局に送信するように構成され、第1の指示は、ユーザ機器のセカンダリ基地局としての機能を果たすようにターゲットセカンダリ基地局に指示するために使用され、さらにハンドオーバー確認応答をソースプライマリ基地局に送信するように構成され、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、送信ユニット1702とを備える。
【０３２６】
この実施形態において、ソースセカンダリ基地局の構成情報は、ソースセカンダリ基地局のセカンダリセルグループの構成情報であってよい。たとえば、ソースセカンダリ基地局の構成情報は、ソースセカンダリ基地局のセカンダリセルグループのセル識別情報、ソースセカンダリ基地局のセカンダリセルグループのセル測定情報、ソースセカンダリ基地局のセカンダリセルグループのベアラ構成情報、またはソースセカンダリ基地局のプライマリセカンダリセルの構成のうちの少なくとも1つを含み得る。セル測定情報は、RSRPの測定結果であってよく、ベアラ構成情報は、ベアラタイプ(たとえば、SCGベアラもしくはSplitベアラ)、またはベアラのQoSパラメータであってよい。ターゲットプライマリ基地局は、ソースセカンダリ基地局の構成情報および/またはターゲットプライマリ基地局のローカル構成情報に従って、ユーザ機器のセカンダリ基地局をターゲットセカンダリ基地局に変えるかどうかを決定し得る。たとえば、ターゲットプライマリ基地局のローカル構成情報は、ターゲットプライマリ基地局がデュアルコネクティビティ機能をサポートするかどうか、ターゲットプライマリ基地局がソースセカンダリ基地局を無変化に保持する機能をサポートするかどうか、またはターゲットプライマリ基地局の負荷状況のうちの少なくとも1つであってよい。
【０３２７】
この実施形態において、第1の指示は、ユーザ機器の用途を満たすセカンダリ基地局としての機能を果たすようにターゲットセカンダリ基地局に指示し、ユーザ機器の用途を満たすプライマリ基地局をソースプライマリ基地局からターゲットプライマリ基地局に変更するように指示し、ユーザ機器に対してサービスを共同で提供するようにターゲットプライマリ基地局およびターゲットセカンダリ基地局に指示するために特に使用される。
【０３２８】
たとえば、ターゲットセカンダリ基地局がユーザ機器の用途を満たすセカンダリ基地局として使用されると決定したときに、送信ユニット1702は、セカンダリ基地局追加要求をターゲットセカンダリ基地局に送信する。セカンダリ基地局追加要求は、第1の指示を含み、第1の指示は、ターゲットセカンダリ基地局をユーザ機器の用途を満たすセカンダリ基地局として追加するように指示するために使用される。第1の指示は、また、ハンドオーバー手順においてまたはハンドオーバー手順に基づき、ターゲットセカンダリ基地局をユーザ機器の用途を満たすセカンダリ基地局として追加するように指示し得る。
【０３２９】
本発明のこの実施形態において、受信ユニット1701は、ソースプライマリ基地局によって送信された第3の指示を受信するものとしてよく、第3の指示は、ターゲットセカンダリ基地局をユーザ機器の用途を満たすセカンダリ基地局として追加するようにターゲットプライマリ基地局に指示するために使用される。
【０３３０】
したがって、この実施形態では、ターゲットセカンダリ基地局がプライマリ基地局から別のプライマリ基地局へのハンドオーバーのプロセスにおいてユーザ機器の用途を満たすセカンダリ基地局として追加されるように実装されてよく、デュアルコネクティビティ通信がハンドオーバーの前および後の両方で実施されるように実装され得る。さらに、ターゲットプライマリ基地局がハンドオーバーの完了後にユーザ機器に使用されるセカンダリ基地局を追加することは回避されるものとしてよく、ハンドオーバーによって引き起こされる遅延は、低減される。
【０３３１】
この実施形態において、ターゲットプライマリ基地局は、ターゲットセカンダリ基地局の構成情報を取得する。たとえば、ターゲットセカンダリ基地局によって送信され、受信ユニット1701によって受信されるセカンダリ基地局追加確認応答は、ターゲットセカンダリ基地局の構成情報を含み、ターゲットセカンダリ基地局の構成情報は、ハンドオーバー確認応答メッセージに追加され、ハンドオーバー確認応答メッセージは、ソースプライマリ基地局に送信される。ターゲットセカンダリ基地局の構成情報は、ターゲットセカンダリ基地局のセカンダリセルグループのセル識別情報、ターゲットセカンダリ基地局のセカンダリセルグループのセル測定情報、ターゲットセカンダリ基地局のセカンダリセルグループのベアラ構成情報、またはターゲットセカンダリ基地局のプライマリセカンダリセルの構成のうちの少なくとも1つを含み得る。
【０３３２】
本発明のこの実施形態において、受信ユニット1701は、ターゲットセカンダリ基地局によって送信された第1の伝送路情報を受信し、第1の伝送路情報は、ターゲットセカンダリ基地局によって割り振られ、ターゲットセカンダリ基地局とサービングゲートウェイとの間のデータ伝送に使用される。たとえば、ターゲットセカンダリ基地局によって送信され、受信ユニット1701によって受信されるセカンダリ基地局追加確認応答は、第1の伝送路情報(すなわち、IPアドレスおよびGTPトンネル識別子)を含む。第1の伝送路情報は、セカンダリ基地局追加確認応答に含まれるようには限定されていない。
【０３３３】
本発明のこの実施形態において、送信ユニット1702は、第2の伝送路情報をターゲットセカンダリ基地局に送信し、第2の伝送路情報は、サービングゲートウェイによって割り振られ、ターゲットセカンダリ基地局とサービングゲートウェイとの間のデータ伝送に使用される。たとえば、受信ユニット1701が、ターゲットセカンダリ基地局によって送信された第1の伝送路情報を受信した後、送信ユニット1702は、第1の伝送路情報を経路切り替え要求に追加し、経路切り替え要求をMMEに送信する。受信ユニット1701は、MMEによってフィードバックされた経路切り替え要求完了メッセージを受信し、経路切り替え要求完了メッセージは、第2の伝送路情報を含む。送信ユニット1702は、第2の伝送路情報をターゲットセカンダリ基地局に送信し、それにより、ターゲットセカンダリ基地局は、第2の伝送路情報を使用することによってサービングゲートウェイによるデータ伝送を実行する。第2の伝送路情報は、また、デュアルコネクティビティ専用メッセージ(たとえば、ベアラ修正指示またはベアラ修正完了メッセージ)に含まれ得る。第2の伝送路情報を運ぶために使用されるメッセージは、本発明のこの実施形態に限定されない。
【０３３４】
本発明のこの実施形態において、送信ユニット1702は、第2の指示をソースプライマリ基地局に送信し、第2の指示は、ターゲットプライマリ基地局がターゲットセカンダリ基地局をユーザ機器のセカンダリ基地局として追加することを指示するために使用される。送信ユニット1702によってソースプライマリ基地局に送信されたハンドオーバー確認応答は、第2の指示を含み、第2の指示は、また、ハンドオーバー手順においてまたはハンドオーバー手順に基づき、ターゲットセカンダリ基地局をユーザ機器の用途を満たすセカンダリ基地局として追加するように指示し得る。ソースプライマリ基地局は、第2の指示に従って、ターゲットセカンダリ基地局をユーザ機器の用途を満たすセカンダリ基地局として追加する。
【０３３５】
たとえば、ソースプライマリ基地局が、第2の指示を受信したときに、ソースプライマリ基地局は、UEのコンテキストを解放することをソースセカンダリ基地局に要求するか、またはデータ転送情報をソースセカンダリ基地局に送信するか、またはすべてのベアラもしくは一部のベアラ上のデータが転送されることを必要とすることをソースセカンダリ基地局に通知する。第2の指示は、暗黙の指示でもあり得る。たとえば、ソースプライマリ基地局は、ターゲットセカンダリ基地局の構成情報を構文解析し、ソースセカンダリ基地局を解放することを決定し得る。
【０３３６】
図17に示されている装置を使用することによって、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【０３３７】
実施形態2に対応して、図18に示されているように、本発明のこの実施形態はハンドオーバー装置を実現し、図18に示されている装置は、ソースプライマリ基地局であり得るか、またはソースプライマリ基地局が、図18に示されている装置を使用して、基地局から別の基地局へのハンドオーバーを実行する。図18に示されている装置は、
ハンドオーバー要求をターゲットプライマリ基地局に送信するように構成されている送信ユニット1801であって、ハンドオーバー要求は、ソースセカンダリ基地局の構成情報を含み、ソースプライマリ基地局およびソースセカンダリ基地局は、ユーザ機器に対してサービスを共同で提供する、送信ユニット1801と、
ターゲットプライマリ基地局によって送信されたハンドオーバー確認応答を受信するように構成されている受信ユニット1802であって、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される、受信ユニット1802とを備える。
【０３３８】
ハンドオーバー確認応答は、ターゲットプライマリ基地局によってターゲットセカンダリ基地局に送信された第1の指示に基づいており、第1の指示は、ユーザ機器のセカンダリ基地局としての機能を果たすようにターゲットセカンダリ基地局に指示するために使用される。
【０３３９】
本発明のこの実施形態では、ソースセカンダリ基地局の構成情報、およびターゲットセカンダリ基地局の構成情報について、前述の説明への参照がなされるものとしてよく、詳細はここでさらに説明されない。
【０３４０】
本発明のこの実施形態において、受信ユニット1801は、ターゲットプライマリ基地局によって送信された第2の指示を受信するようにさらに構成され、第2の指示は、ターゲットプライマリ基地局がターゲットセカンダリ基地局をユーザ機器のセカンダリ基地局として追加することを指示するために使用される。
【０３４１】
本発明の別の実施形態において、図18に示されている装置は、
受信ユニット1801によって受信された第2の指示に従ってユーザ機器のベアラまたはユーザ機器のコンテキストを解放するようにさらに構成されている処理ユニット1803をさらに備える。
【０３４２】
図18に示されている装置を使用することによって、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【０３４３】
実施形態2に対応して、図19に示されているように、本発明のこの実施形態はハンドオーバー装置を実現し、図19に示されている装置は、ターゲットセカンダリ基地局であり得るか、またはターゲットセカンダリ基地局が、図19に示されている装置を使用して、基地局から別の基地局へのハンドオーバーを実行する。図19に示されている装置は、
ターゲットプライマリ基地局によって送信された第1の指示を受信するように構成されている受信ユニット1901であって、第1の指示は、ユーザ機器のセカンダリ基地局としての機能を果たすようにターゲットセカンダリ基地局に指示するために使用される、受信ユニット1901を備える。
【０３４４】
第1の指示は、ソースプライマリ基地局によって送信され、ターゲットプライマリ基地局によって受信されるハンドオーバー要求に基づいており、ハンドオーバー要求は、ソースセカンダリ基地局の構成情報を含み、ソースプライマリ基地局およびソースセカンダリ基地局は、ユーザ機器に対して一緒にサービスを提供し、
ハンドオーバー要求は、ハンドオーバー確認応答をソースプライマリ基地局に送信するためにターゲットプライマリ基地局によって使用され、ハンドオーバー確認応答は、ターゲットセカンダリ基地局の構成情報を含み、構成情報は、ターゲットプライマリ基地局およびターゲットセカンダリ基地局によってユーザ機器に対してサービスを共同で提供するために使用される。
【０３４５】
本発明のこの実施形態では、ソースセカンダリ基地局の構成情報、およびターゲットセカンダリ基地局の構成情報について、前述の説明への参照がなされるものとしてよく、詳細はここでさらに説明されない。
【０３４６】
本発明のこの実施形態において、図19に示されている装置は、
第1の伝送路情報をターゲットプライマリ基地局に送信するように構成されている送信ユニット1902をさらに備え、第1の伝送路情報は、ターゲットセカンダリ基地局によって割り振られ、ターゲットセカンダリ基地局とサービングゲートウェイとの間のデータ伝送に使用される。
【０３４７】
受信ユニット1901は、ターゲットプライマリ基地局によって送信された第2の伝送路情報を受信するようにさらに構成され、第2の伝送路情報は、サービングゲートウェイによって割り振られ、ターゲットセカンダリ基地局とサービングゲートウェイとの間のデータ伝送に使用される。
【０３４８】
本発明のこの実施形態では、第1の指示は、ターゲットプライマリ基地局によって、第2の指示をソースセカンダリ基地局に送信するために使用され、第2の指示は、ターゲットプライマリ基地局がターゲットセカンダリ基地局をユーザ機器のセカンダリ基地局として追加することを指示するために使用される。
【０３４９】
図19に示されている装置を使用することによって、ユーザ機器のプライマリ基地局がソースプライマリ基地局からターゲットプライマリ基地局に変化するプロセスにおいてユーザ機器のセカンダリ基地局がソースセカンダリ基地局からターゲットセカンダリ基地局に変化するように実装される。ターゲットセカンダリ基地局は、ハンドオーバープロセスにおいてユーザ機器のセカンダリ基地局として追加されるので、デュアルコネクティビティ通信は、ハンドオーバーの前後に実装され、ソースセカンダリ基地局がハンドオーバープロセスにおいて解放され、ターゲットセカンダリ基地局がハンドオーバーの完了後に再追加されることで引き起こされる、既存のメカニズムにおける遅延問題が回避される。それに加えて、ハンドオーバープロセスにおけるソースセカンダリ基地局の解放によって引き起こされる既存のメカニズムにおけるユーザ機器とセカンダリ基地局との間のデータ通信の中断問題が回避される。
【０３５０】
当業者であれば、本発明の実施形態が方法、システム、またはコンピュータプログラム製品として実現され得ることを理解するであろう。したがって、本発明では、ハードウェアのみの実施形態、ソフトウェアのみの実施形態、またはソフトウェアとハードウェアとの組合せによる実施形態の形態を使用し得る。さらに、本発明では、コンピュータ使用可能プログラムコードを含む1つまたは複数のコンピュータ使用可能記憶媒体(限定はしないが、ディスクメモリ、CD-ROM、光メモリ、および同様のものを含む)上に実装されるコンピュータプログラム製品の形態を使用し得る。
【０３５１】
本発明は、本発明の実施形態による方法、デバイス(システム)、およびコンピュータプログラム製品のフローチャートおよび/またはブロック図を参照しつつ説明されている。フローチャートおよび/またはブロック図内の各プロセスおよび/または各ブロック、ならびにフローチャートおよび/またはブロック図内のプロセスおよび/またはブロックの組合せを実装するためにコンピュータプログラム命令が使用され得ることが理解されるであろう。これらのコンピュータプログラム命令は、マシンを生成するために汎用コンピュータ、専用コンピュータ、組み込みプロセッサ、または他のプログラム可能データ処理デバイスのプロセッサに対して用意され、これにより、コンピュータまたは他のプログラム可能データ処理デバイスのプロセッサによって実行される命令が、フローチャート内の1つまたは複数のプロセスで、および/またはブロック図内の1つまたは複数のブロックで、特定の機能を実装するための装置を生成することができる。
【０３５２】
コンピュータまたは他のプログラム可能データ処理デバイスに特定の様式で動作するように指示することができるこれらのコンピュータプログラム命令も、コンピュータ可読メモリ内に記憶されてよく、これにより、コンピュータ可読メモリ内に記憶される命令は命令装置を含む人工物を生成することができる。命令装置は、フローチャート内の1つまたは複数のプロセスで、および/またはブロック図内の1つまたは複数のブロックで、特定の機能を実装する。
【０３５３】
これらのコンピュータプログラム命令は、また、コンピュータまたは別のプログラム可能データ処理デバイス上にロードされてもよく、これにより、コンピュータまたは別のプログラム可能デバイス上で一連のオペレーションおよびステップが実行され、これにより、コンピュータによって実装される処理を生成する。したがって、コンピュータまたは別のプログラム可能デバイス上で実行される命令は、フローチャート内の1つまたは複数のプロセスで、および/またはブロック図内の1つまたは複数のブロックで、特定の機能を実装するためのステップを構成する。
【０３５４】
本発明のいくつかの好ましい実施形態が説明されたが、当業者であれば、基本的な発明概念を学習した後にこれらの実施形態に対して変形および変更を加えることができる。したがって、以下の請求項は、好ましい実施形態ならびに本発明の範囲内に入るすべての変形および変更を対象とすることが意図されている。
【０３５５】
明らかに、当業者であれば、本発明の実施形態の範囲から逸脱することなく、本発明の実施形態に対して様々な変更および改変を加えることができる。本発明は、以下の請求項およびその同等の技術によって定義された保護の範囲内にある限りそれらの変更および改変も対象とすることが意図されている。
【符号の説明】
【０３５６】
90  トランシーバ
100  ワイヤレス通信ネットワーク
110  基地局
120  通信用のユーザ機器(User Equipment、UE)
130  コアネットワークデバイス
801  トランシーバ
802  プロセッサ
901  プロセッサ
902  トランシーバ
1001  トランシーバ
1101  トランシーバ
1102  プロセッサ
1201  プロセッサ
1202  トランシーバ
1301  トランシーバ
1302  プロセッサ
1401  受信ユニット
1402  送信ユニット
1501  送信ユニット
1502  受信ユニット
1503  処理ユニット
1601  受信ユニット
1602  送信ユニット
1701  受信ユニット
1702  送信ユニット
1801  送信ユニット
1802  受信ユニット
1803  処理ユニット
1901  受信ユニット
1902  送信ユニット
【図１】
0006683383.tif 000002
【図２】
0006683383.tif 000003
【図３】
0006683383.tif 000004
【図４】
0006683383.tif 000005
【図５】
0006683383.tif 000006
【図６】
0006683383.tif 000007
【図７】
0006683383.tif 000008
【図８】
0006683383.tif 000009
【図９】
0006683383.tif 000010
【図１０】
0006683383.tif 000011
【図１１】
0006683383.tif 000012
【図１２】
0006683383.tif 000013
【図１３】
0006683383.tif 000014
【図１４】
0006683383.tif 000015
【図１５】
0006683383.tif 000016
【図１６】
0006683383.tif 000017
【図１７】
0006683383.tif 000018
【図１８】
0006683383.tif 000019
【図１９】
0006683383.tif 000020